(57)【要約】対基板作業システムにおいて不都合を回避しつつ回路基板の停止制御を行う。部品装着ヘッドを移動させるＸＹロボット２６６のＹ軸スライド２５２に配線板検出装置３０８を保持させる。配線板検出装置３０８は、プリント配線板１２の搬送方向に隔たって設けた反射型の光電センサ３１０，３１２を有する。プリント配線板１２が配線板コンベヤにより搬入される際、光電センサ３１０，３１２を、プリント配線板１２が所定の停止位置に停止した状態においてその下流側端縁が位置する位置へ移動させ、搬送方向上流側の光電センサによる検出によりプリント配線板１２を減速させ、下流側の光電センサによる検出により停止させる。プリント配線板１２を、その形状，寸法，搬送方向を問わず、任意の位置に停止させ得る。１つの部品供給装置に複数種類のプリント配線板１２に電子部品を供給させることもできる。
2003088730.tif 000002
【特許請求の範囲】
【請求項１】
一直線に平行な搬送方向に回路基板を搬送するとともに、その回路基板を搬送方向の任意の位置に停止させ得る基板搬送装置と、
少なくともその基板搬送装置の搬送方向に平行な方向に移動可能な可動部材を備え、その可動部材を前記搬送方向の任意の位置へ移動させる移動装置と、
前記可動部材に保持され、前記停止させられた回路基板の予め定められた個所に対して作業を行う作業ヘッドと、
（ａ）前記移動装置により少なくとも前記基板搬送装置の搬送方向に平行な方向に移動させられ、その基板搬送装置によって搬送される回路基板の予め定められた被検出部を検出する基板検出器と、（ｂ）前記移動装置により少なくとも前記基板搬送装置の搬送方向に平行な方向に移動させられ、その基板搬装置による回路基板の搬送経路内に位置して回路基板と当接し、回路基板を停止させるストッパとの少なくとも一方と、
前記移動装置を制御して、前記基板検出器とストッパとの少なくとも一方を所定の位置へ移動させ、その位置における基板検出器の検出結果に基づいて前記基板搬送装置を制御することと、前記回路基板の前記ストッパへの当接との少なくとも一方により、回路基板の停止位置を制御する基板停止位置制御装置と
を含む対基板作業システム。
【請求項２】
前記移動装置が、前記基板搬送装置により搬送され、停止させられた回路基板の表面に平行な一平面内において互いに交差する第一方向と第二方向との一方に移動可能な第一可動部材と、その第一可動部材に前記第一方向と第二方向との他方に移動可能に保持され、前記作業ヘッドを保持する前記可動部材として機能する第二可動部材とを備え、その第二可動部材を前記一平面内の任意の位置へ移動させるものであり、かつ、前記基板検出器および前記ストッパの前記少なくとも一方が、前記第一可動部材および前記第二可動部材のうち少なくとも前記搬送方向に平行な方向に移動可能な部材に保持された請求の範囲第１項に記載の対基板作業システム。
【請求項３】
前記基板検出器を含み、その基板検出器が前記回路基板の前記被検出部を非接触で検出する非接触型検出器を含む請求の範囲第１項または第２項に記載の対基板作業システム。
【請求項４】
前記非接触型検出器が、発光素子と受光素子とを備え、発光素子から放射され、前記回路基板の被検出部で反射された光を受光素子が検出することにより前記被検出部を検出する反射型検出器を含む請求の範囲第３項に記載の対基板作業システム。
【請求項５】
前記非接触型検出器が、前記回路基板の被検出部を撮像する撮像装置を含む請求の範囲第３項または第４項に記載の対基板作業システム。
【請求項６】
前記撮像装置が、前記回路基板の表面に設けられた基準マークを撮像することによって、回路基板の停止位置を検出する基準マーク撮像装置を兼ねる請求の範囲第５項に記載の対基板作業システム。
【請求項７】
前記回路基板の前記被検出部が前記基準マークである請求の範囲第６項に記載の対基板作業システム。
【請求項８】
前記基板停止位置制御装置が、前記基板検出器による前記被検出部の検出のために、前記第一可動部材および前記第二可動部材のうち少なくとも前記搬送方向に平行な方向に移動可能な部材を移動させるべき位置に関連する位置関連情報を記憶する記憶部を備えた請求の範囲第１項ないし第７項のいずれかに記載の対基板作業システム。
【請求項９】
前記記憶部が、前記回路基板の形状と寸法との少なくとも一方に応じて変わる情報を位置関連情報として記憶する部分を含む請求の範囲第８項に記載の対基板作業システム。
【請求項１０】
前記記憶部が、前記基板搬送装置による前記回路基板の搬送方向に応じて変わる情報を前記位置関連情報として記憶する部分を含む請求の範囲第８項または第９項に記載の対基板作業システム。
【請求項１１】
前記記憶部が、前記移動装置による前記作業ヘッドの移動範囲の、前記基板搬送装置の搬送方向における中央の位置に前記回路基板を停止させるための情報を前記位置関連情報として記憶する部分を含む請求の範囲第８項ないし第１０項のいずれかに記載の対基板作業システム。
【請求項１２】
前記記憶部が、前記基板搬送装置により搬送される複数種類の回路基板の種類と停止位置とを対応付けて記憶する部分を含む請求の範囲第８項ないし第１１項のいずれかに記載の対基板作業システム。
【請求項１３】
前記ストッパと、そのストッパを前記回路基板の搬送経路内に位置する作用位置と、搬送経路から退避した退避位置とに移動させるストッパ移動装置とを含む請求の範囲第１項ないし第１２項のいずれかに記載の対基板作業システム。
【請求項１４】
前記第一可動部材および前記第二可動部材のうち少なくとも前記搬送方向に平行な方向に移動可能な部材に保持され、前記回路基板が前記ストッパと当接する位置に到達したことを検知する到達検知器と、
その到達検知器による回路基板の到達検知に応じて前記基板搬送装置を停止させる搬送装置制御装置と
を含む請求の範囲第１３項に記載の対基板作業システム。
【請求項１５】
電子回路部品を供給する部品供給装置を含み、かつ、前記作業ヘッドが、その部品供給装置から供給される電子回路部品を前記停止させられた回路基板の予め定められた個所に装着する部品装着ヘッドを含む請求の範囲第１項ないし第１４項のいずれかに記載の対基板作業システム。
【請求項１６】
前記部品供給装置が、各々１種類ずつの電子回路部品を多数収容しており、予め定められた部品供給部へ順次１個ずつ位置決めする部品フィーダが複数個、前記部品供給部が前記基板搬送装置の搬送方向に平行な一線に沿って並ぶ状態で配設されたものである請求の範囲第１５項に記載の対基板作業システム。
【請求項１７】
前記基板搬送装置が、
少なくとも一対のプーリと、それら一対のプーリに巻き掛けられたベルトと、前記少なくとも一対のプーリの少なくとも一つを回転駆動する回転駆動装置とを含むベルトコンベヤである請求の範囲第１項ないし第１６項のいずれかに記載の対基板作業システム。
【請求項１８】
前記ベルトコンベヤが、前記ベルトが搬送方向に直角な方向に隔たって一対設けられ、それら一対のベルトの各々と平行に設けられて前記回路基板の両側面の各々を案内する一対の基板ガイドを含む請求の範囲第１７項に記載の対基板作業システム。
【請求項１９】
前記ベルトコンベヤが、前記各一対のベルトおよび基板ガイドの間隔を変更する間隔変更装置を含む請求の範囲第１８項に記載の対基板作業システム。
【請求項２０】
前記第一可動部材が前記基板搬送装置の搬送方向に平行な方向に移動可能であり、前記第二可動部材が前記搬送方向と直交する方向に移動可能である請求の範囲第１項ないし第１９項のいずれかに記載の対基板作業システム。
【請求項２１】
前記第一可動部材が前記基板搬送装置の搬送方向と直交する方向に移動可能であり、前記第二可動部材が前記搬送方向に平行な方向に移動可能である請求の範囲第１項ないし第１９項のいずれかに記載の対基板作業システム。
【発明の詳細な説明】
技術分野
本発明は対基板作業システムに関するものであり、特に、基板搬送装置により搬送される回路基板の停止制御に関するものである。
背景技術
対基板作業システムは、回路基板に定められた作業を行うシステムであり、例えば、プリント配線板に電子回路の構成部品である電子回路部品を装着する電子回路部品装着システムや、プリント配線板に接着剤等の高粘性流体を塗布する高粘性流体塗布システム等がある。これら対基板作業システムの一種に、（ａ）一直線に平行な搬送方向に回路基板を搬送するとともに、その回路基板を搬送方向の任意の位置に停止させ得る基板搬送装置と、（ｂ）前記搬送方向に平行な方向に移動可能な第一可動部材と、その第一可動部材に対して前記搬送方向と交差する方向に移動可能な第二可動部材とを備え、その第二可動部材を一平面内の任意の位置へ移動させ得る移動装置と、（ｃ）前記第二可動部材に保持され、前記停止させられた回路基板の任意の個所に対して作業を行う作業ヘッドとを含むものがある。この形式の対基板作業システムにおいては、回路基板は基板搬送装置により搬送され、作業が行われる位置において停止させられる。
そのため、従来は、ストッパとセンサとの少なくとも一方が設けられ、回路基板を停止させるようにされている。ストッパは、移動装置により、回路基板の搬送経路内に位置する作用位置と、搬送経路から退避した退避位置とに移動させられ、回路基板が対基板作業システムに搬入される際に作用位置に位置させられ、回路基板に当接して停止させる。センサは、例えば、搬送方向に距離を隔てて２組設けられ、搬送方向において上流側のセンサが回路基板を検出することにより減速させ、下流側のセンサが回路基板を検出することにより停止させるようにされている。
これらストッパやセンサは、対基板作業システムのシステム本体に設けられ、多くの場合は位置を固定して設けられ、回路基板は、その当接部あるいは被検出部の一定の位置に対応する停止位置に停止させられる。また、ストッパやセンサが、回路基板の搬送方向に平行な方向の位置を調節可能に設けられ、オペレータが位置を調節し、回路基板を適切な位置において停止させるようにされることもある。
発明の開示
しかしながら、従来のストッパやセンサには、位置を固定して設けられる場合にも、位置調節可能に設けられる場合にも不具合があった。ストッパやセンサが位置を固定して設けられる場合には、例えば、回路基板の搬送方向において下流側の端縁が当接部あるいは被検出部とされるとともに、ストッパあるいはセンサが大きい回路基板を作業に適した位置に停止させる位置に設けられるのが普通である。しかし、この場合には、小さい回路基板は作業ヘッドの移動範囲の片隅（下流側の端部）に停止させられることとなり、後に具体的に説明するように不都合なことが多い。ストッパおよびセンサを位置調節可能に設ければ、位置を固定して設ける場合の不都合を解消することが可能であるが、オペレータが位置調節を行うことは面倒であり、また、回路基板が作業時に基板支持装置によって裏面側から支持される場合、基板支持装置の設置に制約を与えることがある。ストッパおよびセンサが、作業ヘッドの作業を妨げることがないように回路基板の搬送面より下方に設けられることが多いが、そのストッパやセンサの位置が調節されるべき領域には、回路基板を支持する支持部材を配置することができないのである。
本発明は、以上の事情を背景とし、対基板作業システムにおいて回路基板の停止制御を上記不都合を回避しつつ行い得るようにすることを課題としてなされたものであり、本発明によって、下記各態様の対基板作業システムが得られる。各態様は請求項と同様に、項に区分し、各項に番号を付し、必要に応じて他の項の番号を引用する形式で記載する。これは、あくまでも本発明の理解を容易にするためであり、本明細書に記載の技術的特徴およびそれらの組合わせが以下の各項に記載のものに限定されると解釈されるべきではない。また、一つの項に複数の事項が記載されている場合、それら複数の事項を常に一緒に採用しなければならないわけではない。一部の事項のみを選択して採用することも可能なのである。
（１）一直線に平行な搬送方向に回路基板を搬送するとともに、その回路基板を搬送方向の任意の位置に停止させ得る基板搬送装置と、
その基板搬送装置により搬送され、停止させられた回路基板の表面に平行な一平面内において互いに交差する第一方向と第二方向との一方に移動可能な第一可動部材と、その第一可動部材に前記第一方向と第二方向との他方に移動可能に保持された第二可動部材とを備え、その第二可動部材を前記一平面内の任意の位置へ移動させる移動装置と、
前記第二可動部材に保持され、前記停止させられた回路基板の任意の個所に対して作業を行う作業ヘッドと、
前記第一可動部材および前記第二可動部材のうち少なくとも前記搬送方向に平行な方向に移動可能な部材に保持され、前記基板搬送装置によって搬送される回路基板の予め定められた被検出部を検出する基板検出器と、
前記移動装置を制御して前記基板検出器を所定の位置へ移動させ、その位置における基板検出器の検出結果に基づいて前記基板搬送装置を制御することにより、前記回路基板の停止位置を制御する基板停止位置制御装置と
を含む対基板作業システム。
回路基板の予め定められた被検出部は、回路基板そのものでもよく、検出のために設けられた部分でもよい。前者の場合、例えば、回路基板の搬送方向において下流側の端縁や、絶縁基板に設けられた配線パターンや、回路基板を位置決めするための位置決め穴等を被検出部とし得る。
基板検出器は、（２）項に記載されているように、非接触型の検出器でもよく、接触型の検出器でもよい。接触型検出器は、例えば、リミットスイッチやタッチセンサにより構成され、接触子が回路基板に接触して移動させられ、回路基板の検出信号が出力される。
対基板作業システムには、例えば、前述のように、電子回路部品装着システムや、回路基板に接着剤等の高粘性流体を塗布する高粘性流体塗布システムがある。高粘性流体塗布システムには、高粘性流体を吐出ノズルから吐出して回路基板にスポット状に塗布する吐出塗布システムや、スクリーンマスクを介して回路基板にクリーム状半田等を印刷するスクリーン印刷システムがある。
回路基板には、例えば、絶縁基板に設けられたプリント配線に未だ電子回路部品が全く搭載されていないプリント配線板、プリント配線の一部に既に電子回路部品が搭載されたプリント配線板、プリント配線に電子回路部品が搭載されるとともに、半田付け接合されて実装が完了したプリント回路板等が包含される。
第一可動部材と第二可動部材とは、互いに交差する第一方向と第二方向との一方と他方とにそれぞれ移動可能とされ、その結果、第二可動部材が回路基板の表面に平行な一平面内の任意の位置へ移動可能とされればよい。第一方向と第二方向とは互いに直交する２方向であることが、不可欠ではないが望ましい。例えば、第一可動部材を基板搬送装置の搬送方向に平行な方向に移動可能とし、第二可動部材を搬送方向と直交する方向としたり、その逆としたりすることが望ましいのである。
第一可動部材が基板搬送装置の搬送方向に平行な方向に移動可能であり、基板検出器がその第一可動部材に保持される場合は、基板検出器は基板搬送装置の搬送方向に平行な方向にのみ移動させられることとなる。それに対して、第二可動部材に保持される場合には、搬送方向に平行な方向と、搬送方向と交差する方向（例えば、直交する方向）との両方に移動可能となる。搬送方向に平行な方向にのみ移動させられる場合には、基板検出器が第一可動部材に保持されるのと実質的に変わらないこととなるが、搬送方向と交差する方向にも移動させられる場合には、第一可動部材に保持される場合とは異なる作用，効果が得られる。例えば、回路基板が搬送方向における下流側の端部に切欠を有するものである場合に、その切欠から外れた位置へ基板検出器を移動させることによって、回路基板の停止制御における切欠の影響を排除し得る効果が得られる。基板検出器が、搬送方向に平行な方向と、搬送方向と交差する方向との両方に移動させられる場合には、回路基板検出の自由度が高くなり、回路基板の停止制御の自由度が特に高くなる効果が得られるのである。
基板検出器は、第一可動部材に保持されるにしても、第二可動部材に保持されるにしても、作業ヘッドを移動させる移動装置により、少なくとも搬送方向に平行な方向の任意の位置に自動で移動させられ、自動で位置が変更される。オペレータを煩わすことなく、また、基板検出器は回路基板の作業が行われる側に設けられるために基板支持装置の設置に制約を与えることなく、基板検出器の位置が変えられるのであり、対基板制御システムにおいて前述の不都合を生ずることなく、基板検出器を所定の位置へ移動させ、その位置における被検出部の検出に基づいて回路基板を所定の位置に停止させることができる。また、基板検出器を位置を固定して設ける場合の不都合も解消され、さらに、基板検出器の移動に作業ヘッドの移動装置を利用するものであるため、安価に目的を達成することができる。
そして、対基板作業システムにおいて種々の効果が得られる。例えば、対基板作業システムが電子回路部品装着システムであれば、後述するように、回路基板の停止制御により、電子回路部品の装着能率の向上等の効果が得られる。また、対基板作業システムが吐出ノズルを備えた吐出塗布システムであり、移動装置が電動回転モータを駆動源とし、送りねじおよびナットを含む運動伝達装置を含んで可動部材を直線移動させるように構成される場合、回路基板の寸法，形状に応じて停止位置を異ならせることにより、送りねじをその回転軸線方向において満遍なく使用し、装置の寿命を向上させることができる。
（２）前記基板検出器が前記回路基板の前記被検出部を非接触で検出する非接触型検出器を含む（１）項に記載の対基板作業システム。
非接触型検出器は、（３）項に記載されているように、光電センサでもよく、あるいは近接センサでもよい。
非接触型検出器であれば、被検出部を接触することなく検出することができ、被接触部との接触による摩耗等がなく、寿命が長い効果がある。
（３）前記非接触型検出器が、発光素子と受光素子とを備え、発光素子から放射され、前記回路基板の被検出部で反射された光を受光素子が検出することにより前記被検出部を検出する反射型検出器を含む（２）項に記載の対基板作業システム。
（４）前記非接触型検出器が、前記回路基板の被検出部を撮像する撮像装置を含む（２）項または（３）項に記載の対基板作業システム。
撮像装置は、対象物の二次元像を一挙に取得する面撮像装置により構成してもよく、ラインセンサにより構成してもよい。ラインセンサは、一直線状に並べられた多数の撮像素子を有し、被写体と相対移動させられつつ繰り返し撮像を行うことによって二次元像を取得するものである。
（５）前記撮像装置が、前記回路基板の表面に設けられた基準マークを撮像することによって、回路基板の停止位置を検出する基準マーク撮像装置を兼ねる（４）項に記載の対基板作業システム。
基準マークは、検出のために設けられた検出専用のマークでもよく、回路基板に、回路基板の停止位置の検出以外の目的で設けられた部分でもよい。例えば、プリント配線板であれば、配線パターンのうちの予め定められた部分、例えば、ランドを基準マークとして利用してもよい。
基準マークを撮像して回路基板の停止位置を検出すれば、停止位置が正確に得られ、作業を精度良く行うようにすることができる。したがって、移動装置は、撮像装置を精度良く移動させ、回路基板の停止位置が精度良く取得されるように構成され、回路基板の検出時にも撮像装置を所定の位置へ精度良く移動させ、回路基板の停止位置精度を向上させることが可能である。
本項によれば、１つの撮像装置により、回路基板の停止制御と停止位置の検出とを行うことができ、回路基板の停止制御を安価に行うことができる。
（６）前記回路基板の前記被検出部が前記基準マークである（５）項に記載の対基板作業システム。
回路基板の停止制御を行うために、停止位置検出のための基準マークが利用される。
（７）前記基板停止位置制御装置が、前記基板検出器による前記被検出部の検出のために、前記第一可動部材および前記第二可動部材のうち少なくとも前記搬送方向に平行な方向に移動可能な部材を移動させるべき位置に関連する位置関連情報を記憶する記憶部を備えた（１）項ないし（６）項のいずれかに記載の対基板作業システム。
基板検出器は、回路基板を所定の停止位置に停止させるべく、被検出部を検出する位置へ移動させられ、検出位置は、回路基板の停止位置および被検出部の回路基板上における位置（被検出部の設定と略称する）により変わる。したがって、第一，第二可動部材を移動させるべき位置に関連する位置関連情報は、回路基板の停止位置および被検出部の設定に応じて基板検出器を所定の検出位置に停止させ得る情報とされる。
位置関連情報は、基板検出器を、被検出部を検出する検出位置へ移動させるための第一，第二可動部材の位置そのものでもよく、下記各項に記載の種々の情報でもよい。
（８）前記記憶部が、前記回路基板の形状と寸法との少なくとも一方に応じて変わる情報を位置関連情報として記憶する部分を含む（７）項に記載の対基板作業システム。
本項によれば、基板検出器を、回路基板の形状と寸法との少なくとも一方に応じた位置に移動させることができ、回路基板を、その形状と寸法との少なくとも一方に応じて所定の位置に停止させることができる。例えば、回路基板を、作業ヘッドの移動範囲の、回路基板の搬送方向における中央の位置に停止させるべきことが決まっている場合に、回路基板の搬送方向における寸法が得られれば、検出器を移動させるべき位置が得られる。ただし、被検出部が回路基板の端縁以外であり、かつ、端縁から被検出部までの距離が一定でない場合には、回路基板の寸法に加えて、端縁から被検出部までの距離も位置関連情報に含まれることが必要である。
（９）前記記憶部が、前記基板搬送装置による前記回路基板の搬送方向に応じて変わる情報を前記位置関連情報として記憶する部分を含む（７）項または（８）項に記載の対基板作業システム。
例えば、基板搬送装置による回路基板の搬送方向が正，逆両方向に変更可能である場合、回路基板の停止位置が搬送方向に応じて変更されることが望ましい場合が多い。この場合には、当然、位置関連情報が搬送方向に応じて変更されるべきである。また、搬送方向のいかんを問わず、回路基板の停止位置が一定とされる場合でも、回路基板における被検出部の設定によっては、搬送方向に応じて、回路基板が設定された停止位置に停止した状態における被検出部の搬送方向に平行な方向における位置が変わる。したがって、位置関連情報も、基板搬送装置による回路基板の搬送方向に応じて変わる情報とされるべきであることとなる。
（１０）前記記憶部が、前記移動装置による前記作業ヘッドの移動範囲の、前記基板搬送装置の搬送方向における中央の位置に前記回路基板を停止させるための情報を前記位置関連情報として記憶する部分を含む（７）項ないし（９）項のいずれかに記載の対基板作業システム。
「回路基板を、移動装置による作業ヘッドの移動範囲の、基板搬送装置の搬送方向における中央の位置に停止させる」とは、回路基板の搬送方向に平行な方向において中央の位置を、作業ヘッドの移動範囲の搬送方向における中央の位置と一致させることである。したがって、被検出部が、回路基板の搬送方向に平行な方向の中央の位置に設けられるのであれば、基板検出器は、作業ヘッドの移動範囲の、搬送方向における中央の位置に位置させられればよい。それに対して、例えば、被検出部が回路基板の搬送方向において下流側の端縁、あるいはそれに近接した部分とされるのであれば、基板検出器は、回路基板が搬送方向において中央の位置に停止した状態において被検出部が位置する位置に位置させられることが必要であり、回路基板の搬送方向に平行な方向の寸法に応じて、基板検出器の位置が変えられることが必要である。したがって、本項において位置関連情報は、例えば、基板検出器を一定の位置（作業ヘッドの移動範囲の、搬送方向における中央の位置）に位置させる情報とされたり、回路基板の搬送方向の寸法に応じて変わる位置（例えば、回路基板の搬送方向において下流側の端縁に対応する位置）に位置させる情報とされたりすることとなる。
（１１）前記記憶部が、前記基板搬送装置により搬送される複数種類の回路基板の種類と停止位置とを対応付けて記憶する部分を含む（７）項ないし（１０）項のいずれかに記載の対基板作業システム。
回路基板の種類が異なれば、例えば、回路基板の形状，寸法等が異なり、本項によれば、回路基板を、その種類に応じて適切な位置に停止させることができる。
（１２）電子回路部品を供給する部品供給装置を含み、かつ、前記作業ヘッドが、その部品供給装置から供給される電子回路部品を前記停止させられた回路基板の予め定められた個所に装着する部品装着ヘッドを含む（１）項ないし（１１）項のいずれかに記載の対基板作業システム。
作業ヘッドは、部品装着ヘッドを一つ備えたものとしてもよく、複数備えたものとしてもよい。後者の場合、複数の部品装着ヘッドは、例えば、第二可動部材の移動方向に平行な方向に一列に並べて設けてもよく、あるいは、例えば、特開平１０−１６３６７７号公報に記載されているように、第二可動部材に設けられた部品装着ヘッド旋回装置により、共通の旋回軸線のまわりに旋回させられるとともに、その旋回軌跡上の、少なくとも、電子回路部品を部品供給装置から受け取り、回路基板に電子回路部品を装着する部品受取装着位置に停止させられるようにしてもよい。電子回路部品の受取りと装着とは、別の停止位置において行うようにしてもよい。部品装着ヘッド旋回装置は、例えば、一軸線まわりに回転可能な回転体と、回転体を正逆両方向に任意の角度回転させる回転体回転装置とを含み、複数の部品装着ヘッドを回転体に保持させ、回転体の回転により順次、部品受取位置，部品装着位置等の停止位置に停止させる装置でもよく、一軸線のまわりに間欠回転可能な回転体たる間欠回転盤と、間欠回転盤を間欠回転させる間欠回転装置とを含み、複数の部品装着ヘッドを間欠回転盤に等角度間隔に保持させ、間欠回転盤の間欠回転により順次、部品受取位置，部品装着位置等の停止位置に停止させる装置でもよい。あるいは、共通の回動軸線のまわりにそれぞれ回動可能に設けられた複数の回動部材と、それら複数の回動部材を、カム装置により予め定められた速度パターンに従って回動させ、互いに異なる時期に所定の停止位置（複数）に順次停止させる回動運動付与装置とを含み、複数の回動部材にそれぞれ部品装着ヘッドを１つずつ、回転および軸方向の移動可能に保持させて共通の旋回軸線のまわりに旋回させる装置でもよい。
（１３）前記部品供給装置が、各々１種類ずつの電子回路部品を多数収容しており、予め定められた部品供給部へ順次１個ずつ位置決めする部品フィーダが複数個、前記部品供給部が前記基板搬送装置の搬送方向に平行な一線に沿って並ぶ状態で配設されたものである（１２）項に記載の対基板作業システム。
本項と（１０）項とを組み合わせれば、部品装着ヘッドの部品フィーダと回路基板との間における移動距離が短くて済み、装着を能率良く行うことができる確率が高い。部品供給装置を、移動装置による部品装着ヘッドの移動範囲の、搬送装置の搬送方向における中央部に配置し、回路基板も部品装着ヘッドの移動範囲の搬送方向における中央の位置に停止させれば、回路基板と部品供給装置との搬送方向の中央同士が一致する。そのため、部品供給装置内の各部品フィーダの部品供給部から供給される電子回路部品が装着されるべき位置が、回路基板上の特定の１点に指定される確率が回路基板の被装着面全体の点について均一である限り、回路基板にすべての電子回路部品を装着するために必要な部品装着ヘッドの移動距離の総和が、回路基板と部品供給装置との搬送方向の中央同士が一致しない場合のそれと比較して小さくなる確率が高いからである。
また、部品装着ヘッドがフィーダから電子回路部品を取り出した後、撮像装置により電子回路部品が撮像され、保持位置誤差が検出されるとともに修正されて回路基板に装着される場合に、撮像装置が部品供給装置と基板搬送装置との間の位置であって、複数の部品フィーダが並ぶ方向の中央の位置に対応する位置に設けられる場合にも、部品装着ヘッドの移動距離の総和が短くて済む確率が高い。部品装着ヘッドは、電子回路部品の受取り後、必ず、撮像装置に対向する位置へ移動し、電子回路部品が撮像された後、回路基板の被装着位置へ移動させられるのであるが、回路基板を基板搬送装置の搬送方向における中央の位置に停止させれば、回路基板全体が撮像装置の近くに位置させられることとなり、部品装着ヘッドの移動距離の総和が短くて済む確率が高いのである。
また、（８）項，（９）項，（１１）項等の構成は、（１０）項と同様に、回路基板と部品供給装置との搬送方向の中央同士を一致させるために採用することができ、その目的で採用される（８）項，（９）項，（１１）項等を本項と組み合わせれば、上記（１０）項との組合わせにおけるのと同じ効果が得られる。
本項と（８）項とを組み合わせた場合に特有の効果もある。例えば、回路基板が搬送方向における下流側の端部に切欠を有するものである場合、回路基板の切欠が形成されていない部分の下流側端縁を被検出部として検出するように基板検出器の位置を設定（第一可動部材と第二可動部材との位置を設定）することにより、回路基板を部品供給装置に対して、切欠がない回路基板と同様の位置に停止させることができる。また、回路基板が小さく、装着すべき電子回路部品の種類が少なく、かつ、回路基板のロット数が小さい場合に、複数種類の回路基板の停止位置を互いに異ならせ、それら複数種類の回路基板にそれぞれ電子回路部品を供給する部品フィーダ群を、各回路基板の停止位置に対応する位置に予め配置しておけば、部品フィーダ群の交換を行うことなく、回路基板の停止位置を変更するのみで、回路基板の種類を頻繁に変更しつつ装着作業を能率よく実施することができる。
本項と（１１）項とを組み合わせれば、１つの部品供給装置に搭載された一群の部品フィーダを複数種類の回路基板への電子回路部品の供給に使用することができる。複数種類の回路基板に装着される電子回路部品の種類数が、１つの部品供給装置において配設可能な部品フィーダの数より少なければ、１つの部品供給装置において、複数種類の回路基板に電子回路部品を供給する部品フィーダを同時に配設することができる。部品供給装置において、各回路基板に対してのみ電子回路部品を供給する専用部品フィーダ群を回路基板の種類毎にまとめて配設し、それら複数の専用フィーダ群の間に、複数の回路基板に共通の電子回路部品を供給する共通部品フィーダ群を配設しておくのである。そして、各回路基板を各専用部品フィーダ群に対応する位置に停止させれば、複数種類の回路基板に対する装着作業を、回路基板の種類を頻繁に変更しつつ能率よく行うことができる。
（１４）一直線に平行な搬送方向に回路基板を搬送するとともに、その回路基板を搬送方向の任意の位置に停止させ得る基板搬送装置と、
その基板搬送装置により搬送され、停止させられた回路基板の表面に平行な一平面内において互いに交差する第一方向と第二方向とのいずれか一方に移動可能な第一可動部材と、その第一可動部材に前記第一方向と第二方向との他方に移動可能に保持された第二可動部材とを備え、その第二可動部材を前記一平面内の任意の位置へ移動させる移動装置と、
前記第一可動部材および前記第二可動部材のうち少なくとも前記搬送方向に平行な方向に移動可能な部材に保持され、前記基板搬装置による回路基板の搬送経路内に位置して回路基板と当接し、回路基板を停止させるストッパと、
そのストッパを前記回路基板の搬送経路内に位置する作用位置と、搬送経路から退避した退避位置とに移動させるストッパ移動装置と、
前記第二可動部材に保持され、前記ストッパにより停止させられた回路基板の任意の個所に対して作業を行う作業ヘッドと
を含む対基板作業システム。
前記（７）項ないし（１３）項の各々に記載された特徴は本項の対基板作業システムにも適用可能である。ただし、「前記被検出部の検出のために」を「前記ストッパによる回路基板の停止のために」と読み替えるものとする。
ストッパは回路基板に当接して停止させるが、移動装置により、回路基板の作業面側において、少なくとも搬送方向に平行な方向の任意の位置に自動で移動させられるため、基板検出器に回路基板の被検出部を検出させて回路基板の停止位置を制御する場合と同様に、不具合を生ずることなく、ストッパを所定の位置へ移動させ、回路基板を停止させることができ、それにより対基板作業システムにおいて種々の効果が得られる。
（１５）前記第一可動部材および前記第二可動部材のうち少なくとも前記搬送方向に平行な方向に移動可能な部材に保持され、前記回路基板が前記ストッパと当接する位置に到達したことを検知する到達検知器と、
その到達検知器による回路基板の到達検知に応じて前記基板搬送装置を停止させる搬送装置制御装置と
を含む（１４）項に記載の対基板作業システム。
到達検知器は、例えば、リミットスイッチ等の接触型検知器により構成してもよく、光電センサあるいは近接スイッチ等の非接触型検知器により構成してもよい。光電センサは、反射型としてもよく、透過型としてもよい。
回路基板を減速させてストッパに当接させるようにしてもよい。例えば、回路基板がストッパに接近したことを検出する基板接近検出器を到達検知器と共に設け、回路基板の接近を検出して減速させる。回路基板を減速させれば、例えば、回路基板がストッパに当接する際の衝撃が小さくて済み、例えば、回路基板に電子回路部品が搭載されているが、固定はされていない場合、停止時に電子回路部品がずれることが回避される。本項に記載の対基板作業システムは、後述の（２１）項に記載の対基板作業システムにおいて基板検出器とストッパとの両方が設けられる場合の一例であると考えることができる。その場合、上記到達検知器と基板接近検出器との少なくとも一方が、（２１）項に記載の対基板作業システムにおける基板検出器に相当することとなる。
（１６）前記基板搬送装置が、
少なくとも一対のプーリと、それら一対のプーリに巻き掛けられたベルトと、前記少なくとも一対のプーリの少なくとも一つを回転駆動する回転駆動装置とを含むベルトコンベヤである（１）項ないし（１５）項のいずれかに記載の対基板作業システム。
（１７）前記ベルトコンベヤが、前記ベルトが搬送方向に直角な方向に隔たって一対設けられ、それら一対のベルトの各々と平行に設けられて前記回路基板の両側面の各々を案内する一対の基板ガイドを含む（１６）項に記載の対基板作業システム。
（１８）前記ベルトコンベヤが、前記各一対のベルトおよび基板ガイドの間隔を変更する間隔変更装置を含む（１７）項に記載の対基板作業システム。
間隔変更装置は、基板ガイド等の間隔をオペレータが手動で変更する装置としてもよく、駆動源を備え、自動で変更される装置としてもよい。駆動源は、例えば、電動回転モータにより構成される。間隔の自動変更は、例えば、まだ未公開であるが、本出願人の出願に係る特願２０００−３７４９３４の明細書あるいは特願２００１−３０１５４９の明細書にそれぞれ記載の間隔変更と同様に行えばよい。
（１９）前記第一可動部材が前記基板搬送装置の搬送方向に平行な方向に移動可能であり、前記第二可動部材が前記搬送方向と直交する方向に移動可能である（１）項ないし（１８）項のいずれかに記載の対基板作業システム。
（２０）前記第一可動部材が前記基板搬送装置の搬送方向と直交する方向に移動可能であり、前記第二可動部材が前記搬送方向に平行な方向に移動可能である（１）項ないし（１８）項のいずれかに記載の対基板作業システム。
（２１）一直線に平行な搬送方向に回路基板を搬送するとともに、その回路基板を搬送方向の任意の位置に停止させ得る基板搬送装置と、
少なくともその基板搬送装置の搬送方向に平行な方向に移動可能な可動部材を備え、その可動部材を前記搬送方向の任意の位置へ移動させる移動装置と、
前記可動部材に保持され、前記停止させられた回路基板の予め定められた個所に対して作業を行う作業ヘッドと、
（ａ）前記移動装置により少なくとも前記基板搬送装置の搬送方向に平行な方向に移動させられ、その基板搬送装置によって搬送される回路基板の予め定められた被検出部を検出する基板検出器と、（ｂ）前記移動装置により少なくとも前記基板搬送装置の搬送方向に平行な方向に移動させられ、その基板搬装置による回路基板の搬送経路内に位置して回路基板と当接し、回路基板を停止させるストッパとの少なくとも一方と、
前記移動装置を制御して、前記基板検出器とストッパとの少なくとも一方を所定の位置へ移動させ、その位置における基板検出器の検出結果に基づいて前記基板搬送装置を制御することと、前記回路基板の前記ストッパへの当接との少なくとも一方により、回路基板の停止位置を制御する基板停止位置制御装置と
を含む対基板作業システム。
対基板作業システムが、例えば、スクリーンマスクを介して回路基板にクリーム状半田等を印刷するスクリーン印刷システムである場合には、作業ヘッドとしてのスキージ装置が一直線に沿った方向に移動可能あればよく、その一直線の方向を基板搬送装置の搬送方向と一致させれば、スキージ装置を保持して移動する部材を上記可動部材とすることができる。また、回路基板を支持する基板支持装置が、支持した回路基板の表面に平行な平面内において基板搬送装置の搬送方向と交差（直交が望ましい）する方向の任意の位置へ移動させられるものである場合には、可動部材に保持された作業ヘッドと、基板支持装置に支持された回路基板とを、回路基板の表面に平行な平面に沿って任意の相対位置へ移動させることができる。また、移動装置を、基板支持装置に支持された回路基板の表面に平行な平面内の任意の位置へ可動部材を移動させるものとすれば、例えば（１）項や（１４）項に記載の対基板作業システムとなる。
（２）項ないし（１３）項，（１５）項ないし（２０）項の各々に記載の特徴を本項に係る対基板作業システムにも適用することができる。
発明を実施するための最良の形態
以下、本発明を電子回路部品装着システムに適用した場合を例に取り、図面に基づいて詳細に説明する。
図１において１０は電子部品装着システム１１のシステム本体としてのベッドである。ベッド１０上には、回路基板の一種であるプリント配線板１２をＸ軸方向（図１においては左右方向）に搬送する基板搬送装置たる基板コンベヤとしての配線板コンベヤ１４，プリント配線板１２を支持する基板支持装置としての配線板支持装置１５，プリント配線板１２に電子回路部品１６（図６参照）を装着する部品装着装置１８および部品装着装置１８に電子回路部品１６を供給する部品供給装置２０等が設けられている。
本電子回路部品装着システム１１全体について、ＸＹ座標面が水平に設定されており、本システム１１を構成する各種可動部材の移動位置が、そのＸＹ座標面上において設定される。部品供給装置２０は、図１および図２に示すように、配線板コンベヤ１４に対してＹ軸方向において隣接する側に位置を固定して静止して設けられている。
部品供給装置２０は、多数の部品フィーダ（以後、フィーダと称する）３０がフィーダ支持テーブル３２上に配列された部品供給テーブル３４を有する。多数のフィーダ３０は各々１種類ずつの電子回路部品１６を多数収容しており、電子回路部品１６は予め定められた部品供給部へ順次１個ずつ位置決めされる。これらフィーダ３０は、部品供給部がＸ軸方向に平行な一直線に沿って並ぶ状態でフィーダ支持テーブル３２上に配設されている。
フィーダ３０により供給される電子回路部品１６は、本実施形態においては、テープ化電子回路部品とされている。テープ化電子回路部品は、多数の電子回路部品をキャリヤテープによって、テープの長手方向に一定ピッチで並ぶ状態でテーピングしたものであり、フィーダ３０のテープ収容装置に収容されるとともに、テープ送り装置によって送られ、電子回路部品１６が部品供給部へ送られる。なお、フィーダは、テープフィーダに限らず、例えば、多数の電子回路部品をバルク状に収容し、振動，傾斜，空気流，コンベヤベルト等あるいはそれらの組合わせによる送り装置により、部品収容装置に収容された電子回路部品を一列に並べて部品供給部へ送り、部品供給部から１個ずつ供給するバルクフィーダとしてもよい。
配線板コンベヤ１４を説明する。
配線板コンベヤ１４は、図３に示すように、１対の基板ガイドとしての配線板ガイド１１０，１１２を備えている。配線板ガイド１１０，１１２は、Ｘ軸方向に平行であって水平に設けられ、配線板ガイド１１０はベース１０に位置を固定して設けられ、配線板ガイド１１２は、配線板ガイド１１０に接近，離間可能であって、Ｙ軸方向に移動可能に設けられている。配線板ガイド１１０，１１２は、Ｘ軸方向に直角なＹ軸方向に隔たって設けられているのであり、以後、配線板ガイド１１０を固定ガイド１１０と称し、配線板ガイド１１２を可動ガイド１１２と称する。
固定ガイド１１０および可動ガイド１１２の互いに対向する面にはそれぞれ、図３に示すように、長手方向の両端部にそれぞれ回転部材たる溝型プーリ１２０が回転可能に取り付けられるとともに、固定ガイド１１０，可動ガイド１１２のそれぞれ１対ずつの溝型プーリ１２０の間の部分には、図５に固定ガイド１１０について代表的に示すように、長手形状を成す案内部材たるベルトガイド１２２が固定されており、これら１対ずつの溝型プーリ１２０およびベルトガイド１２２にそれぞれ、巻掛部材たる無端のエンドレスベルト１２４が巻き掛けられ、エンドレスベルト１２４の移動を案内する。エンドレスベルト１２４の内周面には、幅方向の中央に突条が設けられ、溝型プーリ１２０の溝に長手方向に相対移動可能に嵌合されており、エンドレスベルト１２４が幅方向において位置決めされている。ベルトガイド１２２の上面にも、図示は省略するが、溝型プーリ１２０と同様に溝が形成され、エンドレスベルト１２４を幅方向において位置決めするようにされている。
固定ガイド１１０側のエンドレスベルト１２４は更に、図５に示すように、固定ガイド１１０に回転可能に取り付けられた複数の張力付与部材たるテンションプーリ１２８および複数の回転部材たる溝型プーリ１３０に巻き掛けられるとともに、被駆動回転部材たる被駆動プーリ１３２に巻き掛けられている。被駆動プーリ１３２は、図３および図４に示すように、固定ガイド１１０および支持部材１３６によって両端部を回転可能に支持された回転伝達軸たるスプライン軸１３８に固定されている。支持部材１３６は、本実施形態では、図３に示すように長手形状を成し、可動ガイド１１２の外側、すなわち固定ガイド１１０とは反対側に可動ガイド１１２と平行な姿勢で位置を固定して設けられている。スプライン軸１３８には、スプロケット１４０が固定されるとともに、駆動源の一種である電動モータたる配線板搬送用モータ１４２の出力軸１４４に固定の回転部材たるスプロケット１４６に巻掛部材たるチェーン１４８によって連結されている。配線板搬送用モータ１４２は、本実施形態においては、回転速度が可変の電動モータとされている。配線板搬送用モータ１４２は、速度は制御されるが、位置は制御されない電動モータとされている。
また、可動ガイド１１２側のエンドレスベルト１２４は、図４に示すように、可動ガイド１１２に回転可能に取り付けられた複数の張力付与部材たるテンションプーリ１５６および複数の溝型プーリ１５８に巻き掛けられるとともに（図４には、テンションプーリ１５６および溝型プーリ１５８は１つのみ図示されている）、被駆動回転体たる被駆動プーリ１６０に巻き掛けられている。被駆動プーリ１６０は、可動ガイド１１２に回転可能かつ軸方向に移動不能に取り付けられるとともに、前記スプライン軸１３８にスプライン嵌合されている。スプライン軸１３８に、軸方向に相対移動可能かつ相対回転不能に嵌合されているのである。したがって、配線板搬送用モータ１４２が起動されれば、スプロケット１４６，１４０が回転させられるとともに、スプライン軸１３８が回転させられ、被駆動プーリ１３２，１６０が回転させられて１対のエンドレスベルト１２４が同期して周回させられる。
プリント配線板１２は、その両縁部において１対のエンドレスベルト１２４の各直線部上に載せられ、エンドレスベルト１２４との間の摩擦によりエンドレスベルト１２４の移動に伴って搬送される。水平に設けられた固定ガイド１１０，可動ガイド１１２に設けられた各エンドレスベルト１２４がプリント配線板１２を水平な姿勢で支持し、プリント配線板１２は、固定ガイド１１０，可動ガイド１１２に沿ってＸ軸方向に搬送される。プリント配線板１２は、一直線に平行な搬送方向に搬送されるのであり、配線板搬送用モータ１４２の起動，停止等が後述する制御装置によって制御されることにより、プリント配線板１２が搬送方向において予め設定された停止位置に停止させられる。また、配線板搬送用モータ１４２は正逆両方向に回転させられ、配線板コンベヤ１４は、プリント配線板１２を正方向へも逆方向へも、搬送することができる。本実施形態においては、これら配線板搬送用モータ１４２，チェーン１４８，スプロケット１４６，１４０，スプライン軸１３８等によって被駆動プーリ１３２，１６０等を回転駆動する回転駆動装置１６２が構成され、溝型プーリ１２０，１３０，１５８，被駆動プーリ１３２，１６０，それらプーリ１２０等に巻き掛けられたコンベヤベルト１２４，固定ガイド１１０，可動ガイド１１２およびエンドレスベルト１２４と共に配線板コンベヤ１４を構成している。配線板コンベヤ１４は、ベルトコンベヤであるのである。
固定ガイド１１０および可動ガイド１１２の上面にはそれぞれ、図３ないし図５に示すように、案内部材１７０が固定されており、固定後は固定ガイド１１０および可動ガイド１１２の案内部として機能し、案内手段を構成する。案内部材１７０は板状を成し、固定ガイド１１０，可動ガイド１１２とほぼ同じ長さを有するとともに、垂直な案内面１７２を有し、それら１対の案内面１７２がプリント配線板１２の幅方向の両側から、プリント配線板１２の両側面１７３の各々を案内し、プリント配線板１２を固定ガイド１１０および可動ガイド１１２の長手方向に案内する。固定ガイド１１０，可動ガイド１１２は、Ｙ軸方向、すなわちプリント配線板１２の搬送方向に直角な方向に隔たって設けられるとともに、１対のエンドレスベルト１２４の各々と平行に設けられ、案内面１７２においてプリント配線板１２を案内するのである。
上記２つの案内部材１７０にはそれぞれ、押さえ部１７４が長手方向に沿って一体的に設けられており、搬送時にプリント配線板１２の浮き上がりを防止するとともに、電子回路部品装着時にプリント配線板１２をクランプするようにされている。
配線板コンベヤ１４によるプリント配線板１２の搬送平面の下方であって、部品供給装置２０にＹ軸方向において隣接する位置に前記配線板支持装置１５が設けられている。配線板支持装置１５は、図示は省略するが、例えば、特開平１１−１９５８９９号公報に記載の配線板支持装置と同様に、支持台と、支持台上に設けられた複数の支持部材とを含み、昇降可能に設けられている。支持台が昇降装置によって上昇させられることにより、支持部材がプリント配線板１２の裏面に接触して、プリント配線板１２を１対のエンドレスベルト１２４から持ち上げ、上記案内部材１７０の押さえ部１７４に押し付けるとともに下方から支持し、プリント配線板１２の電子回路部品１６が装着される作業面としての被装着面であって、上面である表面１８０が水平な姿勢となる状態で支持する。また、支持台に設けられた１対のクランプ部材が前記１対の押さえ部１７４との間に、プリント配線板１２の搬送方向に平行な両縁部を挟んでクランプする。これらクランプ部材および押さえ部１７４が配線板クランプ装置を構成し、配線板支持装置１５と共に配線板保持装置を構成している。
上記固定ガイド１１０および支持部材１３６により、図３に示すように、複数本の案内部材たるガイドロッド１９０の両端部がそれぞれ、位置を固定して支持されるとともに、複数本の送りねじ１９２の両端部がそれぞれ回転可能に支持されている。ガイドロッド１９０および送りねじ１９２はＹ軸方向に平行に設けられているのである。可動ガイド１１２は、それに固定のレールナット１９６において送りねじ１９２に螺合されるとともに、被案内部たるガイドブロック２００においてガイドロッド１９０に軸方向に摺動可能に嵌合されている。複数の送りねじ１９２の固定ガイド１１０から外側へ、すなわち可動ガイド１１２とは反対側へ延び出させられた端部にはそれぞれ、回転体たるスプロケット２０２が相対回転不能に取り付けられている。
また、固定ガイド１１０の外側には、複数のテンションスプロケット２０６がスプロケット２０２の回転軸線と平行な軸線まわりに回転可能に設けられ、これらスプロケット２０２，２０６に無端の巻掛体たるチェーン２０８が巻き掛けられている。２本の送りねじ１９２の一方に、図３に二点鎖線で示すように、操作部材たるハンドル２１８を係合させ、オペレータがハンドル２１８を操作し、送りねじ１９２を回転させることにより、可動ガイド１１２がＹ軸方向に移動させられ、配線板コンベヤ１４の幅が変更される。
送りねじ１９２の回転は、スプロケット２０２およびチェーン２０８によって他方の送りねじ１９２に伝達される。それにより２本の送りねじ１９２が同期して回転させられ、可動ガイド１１２が長手方向において一様に固定ガイド１１０に接近，離間させられて、１対のエンドレスベルト１２４および両ガイド１１０，１１２の間隔が変更され、配線板コンベヤ１４の幅が変更されるのである。本実施形態においては、スプロケット２０２，チェーン２０８等が回転伝達装置を構成し、送りねじ１９２，レールナット１９６等と共に間隔変更装置２１４を構成している。
部品装着装置１８を説明する。
部品装着装置１８は、図６および図７に示す作業ヘッドの一種である部品保持ヘッドとしての部品装着ヘッド２３０が互いに直交するＸ軸とＹ軸とによって規定される前記ＸＹ座標面内の任意の位置へ移動し、部品供給装置２０から供給される電子回路部品１６を、停止させられたプリント配線板１２の表面１８０の予め定められた被装着箇所に装着するものとされている。
そのため、図１に示すように、ベッド１０の配線板コンベヤ１４のＹ軸方向における両側にはそれぞれボールねじ２３４がＸ軸方向に平行に設けられるとともに、Ｘ軸スライド２３６に設けられたナット２３８（図６には１個のみ図示されている）の各々に螺合されており、これらボールねじ２３４がそれぞれ、Ｘ軸スライド移動用モータ２４０（図１参照）によって回転させられることにより、Ｘ軸スライド２３６がＸ軸に平行な方向の任意の位置へ移動させられる。なお、Ｘ軸スライド２３６の移動は、ベッド１０上であって、２つのボールねじ２３４の下側にそれぞれ設けられた案内部材たるガイドレール２４２（図６参照）およびＸ軸スライド２３６に設けられた被案部材たるガイドブロック２４４を含む案内装置により案内される。以上、Ｘ軸スライド２３６が第一可動部材を構成し、ナット２３８，ボールねじ２３４およびＸ軸スライド移動用モータ２４０等がＸ軸スライド移動装置２４６を構成している。
Ｘ軸スライド２３６上には、ボールねじ２５０（図６参照）がＹ軸方向に平行に設けられるとともに、Ｙ軸スライド２５２がナット２５４において螺合されている。このボールねじ２５０がＹ軸スライド移動用モータ２５６（図１参照）によりギヤ２５８，２６０を介して回転させられることにより、Ｙ軸スライド２５２は案内部材たる一対のガイドレール２６２を含む案内装置により案内されてＹ軸方向に平行な任意の位置に移動させられる。以上、Ｙ軸スライド２５２が第二可動部材を構成し、ナット２５４，ボールねじ２５０およびＹ軸スライド駆動用モータ２５６等がＹ軸スライド移動装置２６４を構成している。
Ｙ軸スライド２５２には、図６および図７に示すように、前記部品装着ヘッド２３０，ヘッド昇降装置２７０およびヘッド回転装置２７２が保持されており、これら部品装着ヘッド２３０等が部品装着ユニット２７４を構成している。本実施形態においては、前記Ｘ軸スライド２３２，Ｙ軸スライド２５２，Ｘ軸スライド移動装置２４６およびＹ軸スライド移動装置２６４が移動装置としてのＸＹロボット２６６を構成し、部品装着ヘッド２３０は、ＸＹロボット２６６により、水平な一平面であるＸＹ座標面内の任意の位置へ移動させられる。なお、部品装着ユニット２７４は複数組設けてもよい。
ロボット２６６による部品装着ヘッド２３０の移動範囲は、部品供給装置２０の全部のフィーダ３０から電子回路部品１６を受け取ることができるとともに、最大のプリント配線板１２に電子回路部品１６を装着するのに十分な範囲とされており、配線板支持装置１５および部品供給装置２０は、部品装着ヘッド２３０の移動範囲の、配線板コンベヤ１４の搬送方向における中央の位置に設けられている。配線板支持装置１５については、配線板コンベヤ１４の搬送方向における中央の位置が、部品装着ヘッド２３０の移動範囲の上記搬送方向における中央の位置と一致し、部品供給装置２０については、Ｘ軸方向に平行に並ぶ多数のフィーダ０の各部品供給部のうち、Ｘ軸方向において中央の部品供給部が、部品装着ヘッド２３０の移動範囲の上記搬送方向における中央部に位置するように設けられているのである。
ヘッド昇降装置２７０は、図６に示すように、ヘッド昇降用モータ２７６を駆動源とし、部品装着ヘッド２３０を昇降させ、プリント配線板１２に接近，離間させる接近・離間装置である。ヘッド回転装置２７２は、ヘッド回転用モータ２７８を駆動源とし、部品装着ヘッド２３０をその軸線まわりに回転させる。これらヘッド昇降装置２７０およびヘッド回転装置２７２は、未だ公開されていないが、本出願人による特願２００１−２８７３３９の出願に記載のヘッド昇降装置およびヘッド回転装置と同様に構成されており、詳細な説明を省略する。
部品装着ヘッド２３０は、ホルダ２８０を備え、部品保持具たる吸着ノズル２８２を保持している。吸着ノズル２８２は電子回路部品１６を負圧により吸着し、プリント配線板１２に装着する。吸着ノズル２８２は、ノズル本体２８４および吸着管２８６を有する。吸着ノズル２８２は、空気通路を経て図示を省略する回転バルブ，ホースおよび電磁方向切換弁等を経て負圧源，正圧源および大気に接続されており、電磁方向切換弁の切換えにより、吸着管２８６が負圧源，正圧源および大気に択一的に連通させられて電子回路部品１６を保持し、解放する。
Ｙ軸スライド２５２にはまた、図７に示すように、プリント配線板１２に設けられた基準マーク２９０（図１参照）を撮像する基準マーク撮像システム２９２が設けられており、ＸＹロボット２６６により水平面内の任意の位置へ移動させられる。基準マーク撮像システム２９２は、撮像装置たる基準マークカメラ２９４および照明装置２９６を備えている。基準マークカメラ２９４は、本実施形態においては、固体イメージセンサの一種であるＣＣＤ（電荷結合素子）と、結像レンズを含むレンズ系とを備え、被写体の二次元像を一挙に取得する撮像装置の一種である面撮像装置たるＣＣＤカメラとされており、図示を省略する保持部材によりＹ軸スライド２５２に、その中心軸線が垂直となり、かつ下向きの姿勢で設けられている。ＣＣＤは、一平面上に多数の微小な受光素子が配列されたものであり、各受光素子の受光状態に応じた電気信号を発生させる。多数の受光素子により撮像領域ないし撮像画面が形成されている。
Ｙ軸スライド２５２により更に、図７および図８に示すように、基板検出装置としての配線板検出装置３０８が保持されている。配線板検出装置３０８は、第一光電センサ３１０および第二光電センサ３１２を含み、ＸＹロボット２６６により、水平面ないしＸＹ座標面内の任意の位置へ移動させられる。これら光電センサ３１０，３１２は、基板検出器としての配線板検出器の一種である非接触型検出器であり、検出対象物を非接触で検出し、配線板搬送方向に平行な方向に距離を隔てて設けられている。
光電センサ３１０，３１２は、本実施形態においては反射型とされており、それぞれ発光素子３１４および受光素子３１６を備え、発光素子３１４から放射され、検出対象物により反射された光を受光素子３１６が受光し、検出することにより、検出対象物が検出される。光電センサ３１０、３１２は、本実施形態においては、受光素子３１６が反射光を受光しない状態ではＯＦＦ信号を出力し、受光素子３１６が反射光を受光し、受光量が設定量を超えればＯＮ信号を出力して、検出対象物を検出するように構成されている。
Ｘ軸スライド２３６には、図１に示すように、ちょうどＸ軸スライド２３６を移動させる２つのボールねじ２３４の一方に対応する位置であって、部品供給装置２０と配線板コンベヤ１４との間の位置に、部品撮像システム３３０が移動不能に取り付けられている。部品撮像システム３３０の構成は、本発明との関連が薄いため、簡単に説明する。
部品撮像システム３３０は、図６に示すように、撮像装置３３２および照明装置３３４を備えている。本実施形態において撮像装置３３２は、電子回路部品１６等を撮像する部品カメラ３３６および導光装置３３８を備えており、導光装置３３８は、電子回路部品１６の像を形成する像形成光を部品カメラ３３６に入光させる。部品カメラ３３６は、前記基準マークカメラ２９４と同様に、本実施形態では、面撮像装置であって、ＣＣＤカメラとされている。部品装着ヘッド２３０がＸＹロボット２６６によって移動させられ、Ｙ軸方向においてボールねじ２３４に対応する位置であって、導光装置３３８上に位置する位置に至れば、部品カメラ３３６は電子回路部品１６を撮像することができる。本実施形態においては、部品撮像システム３３０は、部品カメラ３３６が撮像対象物の正面像と投影像とを撮像し得るように構成されている。
本電子回路部品装着システム１１は、図９に示す制御装置３５０により制御される。但し、図９は、本システム１１のうち本発明に関連の深い部分のみを取り出して示したものである。制御装置３５０は、コンピュータ３５２を主体とするものであり、コンピュータ３５２は、ＰＵ（プロセッシングユニット）３５４，ＲＯＭ３５６，ＲＡＭ３５８，入・出力ポート３６０がバスライン３６２により接続されたものである。入・出力ポート３６０には、前記基準マークカメラ２９４，部品カメラ３３６により撮像された画像のデータを解析する画像処理コンピュータ３６６，前記光電センサ３１０，３１２，エンコーダ３６８，３７０等、各種コンピュータおよび検出器等が接続されている。基準マーク撮像システム２９２および部品撮像システム３００においては、制御装置３５０による制御に基づいて撮像，照明等が行われる。
入・出力ポート３６０にはまた、駆動回路３８０を介してＸ軸スライド移動用モータ２４０等の各種アクチュエータが接続されている。これらＸ軸スライド移動用モータ２４０等は駆動源を構成し、Ｘ軸スライド移動用モータ２４０，Ｙ軸スライド移動用モータ２５６，ヘッド昇降用モータ２７６およびヘッド回転用モータ２７８は、本実施形態では、回転モータの一種である電動モータたる電動回転モータであって、回転角度の精度の高い制御が可能なサーボモータとされている。サーボモータに代えてステップモータを用いてもよい。なお、Ｘ軸スライド移動用モータ２４０等の各種モータの回転角度はエンコーダにより検出され、その検出結果に基づいてモータ２４０等が制御される。図９には、Ｘ軸，Ｙ軸スライド移動用モータ２４０，２５６についてそれぞれ設けられたエンコーダ３６８，３７０を代表的に示す。
ＲＡＭ３５８には、図１０に示すように、プログラムメモリ，配線板検出位置データメモリ等がワーキングメモリと共に設けられ、種々のプログラムおよびデータ等が記憶される。プログラムメモリには、図示を省略するメインルーチン，プリント配線板１２に電子回路部品１６を装着するための装着プログラム等、種々のプログラムおよびデータ等が記憶される。これらプログラムやデータは外部記憶装置から読み込まれてもよく、本電子回路部品装着システム１１を含む複数の対回路基板作業システムを複数台制御するホストコンピュータから供給されてもよい。
プリント配線板１２は、本実施形態においては、配線コンベヤ１４により搬入されるとき、その搬送方向において下流側の端縁が第一，第二光電センサ３１０，３１２によって検出されることにより停止させられる。本実施形態においては、プリント配線板１２の搬送方向において下流側の端縁が被検出部を構成しているのであり、配線板検出位置データメモリには、配線板検出装置３０８によるプリント配線板１２の被検出部の検出のためにＸ軸，Ｙ軸スライド２３６，２５２をそれぞれ移動させるべき位置のデータが記憶されている。
第一，第二光電センサ３１０，３１２は、ＸＹロボット２６６により、部品装着ヘッド２３０の移動平面内の任意の位置へ移動させられ、その位置の設定により、配線板コンベヤ１４により搬送されるプリント配線板１２を配線板コンベヤ１４の搬送経路内の任意の位置に停止させることができるが、本実施形態においては、形状，寸法が異なる複数種類のプリント配線板１２のいずれも、ＹＹロボット２６６による部品装着ヘッド２３０の移動範囲の、配線板コンベヤ１４の搬送方向における中央の位置に停止させられて電子回路部品１６の装着が行われる。プリント配線板１２は、その搬送方向に平行な方向における中央の位置が、ＸＹロボット２６６による部品装着ヘッド２３０の移動範囲の、配線板コンベヤ１４の搬送方向における中央の位置に位置する状態で停止させられるのである。以後、部品装着ヘッド２３０の移動範囲の、配線板コンベヤ１４の搬送方向における中央の位置を、搬送方向における中央の位置と称する。また、プリント配線板１２は、配線板コンベヤ１４によって正逆いずれの方向へも搬送可能であり、搬送方向がいずれであっても、搬送方向における中央の位置に停止させられる。プリント配線板１２の停止位置は、その搬送方向に平行な方向において中央の位置について設定される。そして、光電センサ３１０，３１２のうち、搬送方向において上流側に位置する光電センサがプリント配線板１２の下流側端縁を検出することにより搬送速度が減速され、下流側に位置する光電センサがプリント配線板１２の下流側端縁を検出することによりプリント配線板１２が停止させられる。搬送方向において上流側に位置する光電センサが減速用センサとして機能し、下流側に位置する光電センサが停止用センサとして機能するのである。
プリント配線板１２の搬送方向において下流側の端縁を被検出部としてプリント配線板１２を検出し、搬送方向における中央の位置に停止させる場合、プリント配線板１２の搬送方向において下流側の端縁の停止時における位置は、プリント配線板１２の寸法，形状および搬送方向に応じて変わり、プリント配線板１２を検出する光電センサ３１０，３１２が位置させられるべき位置も変わる。そのため、光電センサ３１０，３１２にプリント配線板１２を検出させるためのＸ軸，Ｙ軸スライド２３６，２５２の各移動位置であって、配線板検出装置３０８がプリント配線板１２の下流側端縁の検出を行う検出位置は、プリント配線板１２の寸法，形状および搬送方向に応じて設定される。プリント配線板１２が搬送方向の中央の位置に停止させられた状態において、その下流側端縁が位置する位置に配線板検出装置３０８が位置し、光電センサ３１０，３１２が下流側端縁を検出するようにＸ軸，Ｙ軸スライド２３６，２５２の位置が設定されるのであり、その移動位置は、プリント配線板１２の種類および搬送方向と対応付けて配線板検出位置データメモリに記憶されている。プリント配線板１２には、例えば、その種類毎にコードが付され、そのコードデータが、Ｘ軸，Ｙ軸スライド２３６，２５２の各移動位置のデータおよび搬送方向のデータと共に配線板検出位置データメモリに記憶される。
なお、本実施形態においては、プリント配線板１２の検出時における光電センサ３１０，３１２のＹ軸方向の位置は、プリント配線板１２を、その寸法，形状および搬送方向を問わず、検出し得る一定の位置とされ、光電センサ３１０，３１２を検出位置に移動させるためのＹ軸スライド２５２の位置は、プリント配線板１２の種類に関係なく一定とされている。また、第一，第二光電センサ３１０，３１２間の距離は、プリント配線板１２を検出して減速させ、減速状態で停止させるのに十分な距離とされている。
このように光電センサ３１０，３１２によるプリント配線板１２の被検出部の検出のためのＸ軸，Ｙ軸スライド２３６，２５２を移動させるべき位置に関連する位置関連情報は、Ｘ軸，Ｙ軸スライド２３６，２５２の移動位置を規定するデータを含み、本実施形態においては、プリント配線板１２の寸法，形状および搬送方向に応じて変わる情報であり、ＸＹロボット２６６による部品装着ヘッド２３０の移動範囲の、配線板コンベヤ１４の搬送方向における中央の位置にプリント配線板１２を停止させるための情報である。
次に作動を説明する。
プリント配線板１２への電子回路部品１６の装着時には、プリント配線板１２が配線板コンベヤ１４により搬入され、その下流側端縁が光電センサ３１０，３１２により検出されて、搬送方向における中央の位置に停止させられる。なお、段取替え時、すなわち電子回路部品１６が装着されるプリント配線板１２の種類が替わる場合、必要であれば、電子回路部品１６の装着開始に先立って間隔変更装置２１４により、１対のガイド１１０，１１２およびコンベヤベルト１２４の間隔が、次に搬送されるプリント配線板１２の幅に適した間隔に変更される。
プリント配線板１２の停止制御を図１１ないし図１４に基づいて説明する。
プリント配線板１２が配線板コンベヤ１４に搬入され、配線板コンベヤ１４により搬送される際、ＸＹロボット２６６が制御され、第一，第二光電センサ３１０，３１２が、プリント配線板１２が停止位置、すなわち搬送方向の中央の位置に到達するより先に所定の位置である検出位置、すなわちプリント配線板１２を搬送方向における中央の位置に停止させるべく、プリント配線板１２の搬送方向において下流側の端縁を検出する位置へ移動させられる。プリント配線板１２の種類および搬送方向に応じて、光電センサ３１０，３１２を所定の検出位置に移動させるために設定されたＸ軸，Ｙ軸スライド２３６，２５２の各移動位置がＲＡＭ３５８から読み出され、エンコーダ３６８，３７０の検出信号に基づいてＸ軸，Ｙ軸スライド移動用モータ２４０，２５６が制御され、Ｘ軸，Ｙ軸スライド２３６，２５２が設定された位置へ移動させられ、光電センサ３１０，３１２が所定の検出位置へ移動させられるのである。そして、両センサ３１０，３１２において発光素子３１４が光を放射し、受光素子３１６による受光が待たれ、プリント配線板１２の検出が待たれる。ＸＹロボット２６６は、サーボモータを駆動源とし、電子回路部品１６のプリント配線板１２への装着が精度良く行われるべく、部品装着ヘッド２３０を予め設定された位置へ精度良く移動させるように構成されている。そのため、配線板検出装置３０８は精度良く検出位置へ移動させられ、プリント配線板１２の停止制御精度が向上する。
プリント配線板１２が図１１においては右方（実線の矢印で示す方向）へ搬送されるとすれば、第一，第二光電センサ３１０，３１２は、搬送方向において中央の位置より搬送方向において下流側であって、図１１に実線で示す位置へ移動させられ、第一光電センサが３１０が第二光電センサ３１２より、搬送方向において上流側に位置する。プリント配線板１２が停止位置近傍へ到達し、その下流側端縁が第一光電センサ３１０の下方の位置に至れば、第一光電センサ３１０の発光素子３１４が放射する光がプリント配線板１２の下流側縁部により反射されて受光素子３１６により受光され、被検出部としての下流側端縁が検出される。プリント配線板１２が停止位置近傍まで搬送されたことが検出されるのであり、その検出に基づいて搬送速度の減速指令が発せられ、配線板搬送用モータ１４２が減速制御されて、配線板コンベヤ１４によるプリント配線板１２の搬送速度が減少させられる。
プリント配線板１２が減速された状態で搬送され、その下流側縁部が第一光電センサ３１２の下方に至り、発光素子３１４が放射する光がプリント配線板１２の下流側縁部により反射され、受光素子３１６により受光されてプリント配線板１２が検出されれば、停止指令が発せられ、プリント配線板１２が搬送方向における中央の位置に停止させられる。
プリント配線板１２が図１１において二点鎖線の矢印で示すように、左方へ搬送されるとすれば、第一，第二光電センサ３１０，３１２は、ＸＹロボット２６６により移動させられ、二点鎖線で示すように、搬送方向において中央の位置より下流側であって、プリント配線板１２が右方へ搬送される場合とは、上記中央の位置に対して搬送方向において反対側に位置させられる。そして、第二光電センサ３１２が第一光電センサ３１０より搬送方向において上流側に位置し、減速用センサとして機能し、第二光電センサ３１２が停止用センサとして機能し、プリント配線板１２の搬送速度を減速させた後、停止させる。
第一，第二光電センサ３１０，３１２は、プリント配線板１２の寸法，形状に応じて設定された位置に位置させられてプリント配線板１２を検出する。したがって、例えば、図１２に概略的に示すように、プリント配線板１２の寸法が小さい場合には、１対のガイド１１０，１１２の間隔がプリント配線板１２の幅に応じた大きさに変更されるとともに、第一，第二光電センサ３１０，３１２がプリント配線板１２の搬送方向に平行な方向の寸法に応じた位置に移動させられてプリント配線板１２の下流側端縁を検出し、減速させ、停止させるようにされる。
また、例えば、図１３に概略的に示すように、プリント配線板１２が搬送方向における下流側の端部に切欠３８６を有するものである場合でも、第一，第二光電センサ３１０，３１２を、搬送方向と直角な方向において、切欠３８６のないプリント配線板１２を検出する場合と同じ位置においてプリント配線板１２を検出させ、搬送方向における中央の位置に停止させることができる。前述のように、本実施形態では、プリント配線板１２の検出時における光電センサ３１０，３１２のＹ軸方向の位置は、プリント配線板１２の寸法，形状および搬送方向を問わず、一定とされており、この位置が配線板コンベヤ１４により搬送されるプリント配線板１２の切欠３８６のＹ軸方向の位置と一致する場合でも、光電センサ３１０，３１２のＸ軸方向、すなわち搬送方向に平行な方向における検出位置の設定により、プリント配線板１２を検出し、搬送方向の中央の位置に停止させることができる。
切欠３８６を有するプリント配線板１２は、切欠３８６がないと仮定した場合に搬送方向に平行な方向において中央となる位置が、部品装着ヘッド２３０の移動範囲の、配線板コンベヤ１４の搬送方向における中央の位置に位置する状態で停止させられるようにされる。そのため、この停止状態において、プリント配線板１２の切欠３８６を画定する端縁であって、搬送方向に直角な端縁に対応する位置に配線板検出装置３０８が位置し、光電センサ３１０，３１２がプリント配線板１２の切欠３８６を画定する端縁を下流側端縁として検出するように、Ｘ軸スライド２３６の移動位置が設定される。Ｙ軸スライド２５６の移動位置は、切欠３８６がない場合と同じに設定される。
配線板検出装置３０８の搬送方向と直角な方向（Ｙ軸方向）の位置を、切欠３８６のないプリント配線板１２の検出時とは異ならせ、第一，第二光電センサ３１０，３１２が、切欠３８６を有するプリント配線板１２の、切欠３８６のない部分を検出するようにしてもよい。いずれにしても、第一，第二光電センサ３１０，３１２の検出位置の設定により、それらセンサ３１０，３１２による検出に基づいて、切欠３８６のあるプリント配線板１２を、切欠のないプリント配線板１２と同様に搬送方向における中央の位置に停止させることができ、同様に電子回路部品１６の装着が行われるようにすることができる。
プリント配線板１２がいずれの形状，寸法であっても、また、搬送方向がいずれであっても、プリント配線板１２が配線板コンベヤ１４により搬入され、光電センサ３１０，３１２による検出に基づいて搬送方向における中央の位置に停止させられたならば、その停止させられたプリント配線板１２に部品装着ヘッド２３０により電子回路部品１６が装着される。停止後、プリント配線板１２は、配線板支持装置１５によって裏面側から支持されるとともに、配線板クランプ装置によりクランプされる。そして、まず、基準マークカメラ２９４がＸＹロボット２６６により移動させられて基準マーク２９０を撮像し、プリント配線板１２の位置を検出し、表面１８０上に設定された複数の被装着位置の各水平位置誤差が演算により求められる。そして、部品装着ヘッド２３０がＸＹロボット２６６により移動させられ、部品供給装置２０から電子回路部品１６を受け取ってプリント配線板１２の被装着位置に装着する。
部品装着ヘッド２３０が、部品供給装置２０から電子回路部品１６を受け取る場合、複数のフィーダ３０のうちの１つの部品供給部において吸着ノズル２８２が電子回路部品１６を吸着する。吸着後、部品装着ヘッド２３０はＸＹロボット２６６により、プリント配線板１２の被装着位置へ移動させられるが、移動の途中で、Ｘ軸方向において部品撮像システム３３０の導光装置３３８上において停止させられ、電子回路部品１６が部品カメラ３３６によって撮像される。部品撮像システム３３０はＸ軸スライド２３６上に設けられているため、部品装着ヘッド２３０が部品供給装置２０からプリント配線板１２へ移動する途中で必ず、導光装置３３８上を通り、電子回路部品１６が撮像されるのであり、その撮像データに基づいて電子回路部品１６の保持位置誤差（水平位置誤差および回転位置誤差）が検出される。そして、部品装着ヘッド２３０がヘッド回転装置２７２により回転させられて電子回路部品１６の回転位置誤差が修正され、部品装着ヘッド２３０の移動距離の修正により、保持位置誤差，プリント配線板１２の被装着位置の水平位置誤差および回転位置誤差の修正により生ずる電子回路部品１６の中心位置ずれが修正されて、電子回路部品１６がプリント配線板１２に装着される。以上で１サイクルの装着作業が終了する。
このようにＸ軸，Ｙ軸スライド２３６，２５２の移動位置の設定により、光電センサ３１０，３１２を所定の検出位置へ移動させ、プリント配線板１２を、その形状，寸法および搬送方向を問わず、搬送方向における中央の位置に停止させることができる。それにより、プリント配線板１２および部品供給装置２０が搬送方向における中央の位置に位置し、それぞれの搬送方向における中央同士が一致することとなり、部品装着時における部品装着ヘッド２３０の移動距離が短くて済み、装着が能率良く行われる確率が高い。プリント配線板１２にすべての電子回路部品１６を装着するために必要な部品装着ヘッド２３０の移動距離の総和が、プリント配線板１２と部品供給装置２０との搬送方向の中央同士が一致しない場合のそれと比較して小さくなる確率が高いのである。特に、プリント配線板１２が小さく、部品装着ヘッド２３０の移動範囲の片隅（下流側の端部）に停止させられて、部品供給装置２０の、配線板コンベヤ１４の搬送方向に平行な方向における中央部から大きく外れる場合、移動距離の総和が長くなる確率が高いのに対し、プリント配線板１２が小さくても、搬送方向における中央の位置に停止させられることにより、部品供給装置２０に搬送方向における中央の位置において隣接し、装着が能率良く行われる確率が向上する。
本電子回路部品装着システム１１の別の作動態様においては、部品供給装置２０が複数種類のプリント配線板１２に対して電子回路部品１６を供給するようにされる。例えば、プリント配線板１２が小さく、装着すべき電子回路部品１６の種類が少なく、かつ、プリント配線板１２のロット数が少ないが、多種類のプリント回路板が生産される場合、複数種類のプリント配線板１２のそれぞれについて、電子回路部品１６の供給に要するフィーダ３０の数の和が、フィーダ支持テーブル３２に搭載可能な数であれば、部品供給装置２０は、複数種類のプリント配線板１２に対して電子回路部品１６を供給することができる。複数種類の装着プログラムによるプリント配線板１２への電子回路部品１６の装着に対応するようにされるのである。
部品供給装置２０が、例えば、２種類のプリント配線板１２に電子回路部品１６を供給させることが可能であれば、図１４に概略的に示すように、フィーダ支持テーブル３２の搬送方向において一方の側に、２種類のプリント配線板１２のうちの一方に電子回路部品１６を供給する複数のフィーダ３０がまとめて搭載され、フィーダ支持テーブル３２の搬送方向において他方の側に、他方の種類のプリント配線板１２に電子回路部品１６を供給する複数のフィーダ３０がまとめて搭載される。フィーダ支持テーブル３２に、２種類のプリント配線板１２にそれぞれ電子回路部品１６を供給する複数のフィーダ３０を含む部品フィーダ群３９０が複数、ここでは２つ、搬送方向に平行な方向において一列に並んで設けられるのである。
そして、プリント配線板１２の種類に応じて、プリント配線板１２の停止位置が設定される。例えば、複数種類のプリント配線板１２の各停止位置はそれぞれ、電子回路部品１６を供給する部品フィーダ群３９０に対して、搬送方向と直角な方向において隣接する位置に設定され、更に本実施形態においては、プリント配線板１２の搬送方向に平行な方向において中央の位置が、部品フィーダ群３９０の搬送方向に平行な方向において中央の位置と一致する位置に設定され、プリント配線板１２の種類と対応付けて、ＲＡＭ３５８の配線板停止位置データメモリに記憶されている。停止位置は、ここでは、プリント配線板１２の搬送方向に平行な方向において中央の位置について設定されるのである。そして、配線板停止位置データに基づいてプリント配線板１２の種類毎に、プリント配線板１２を設定された停止位置に停止させるために、光電センサ３１０，３１２を検出位置に移動させるためのＸ軸，Ｙ軸スライド２３６，２５２の移動位置が、プリント配線板１２の形状，寸法および搬送方向に基づいて設定され、プリント配線板１２の種類と対応付けて、搬送方向を規定するデータと共に配線板検出位置データメモリに記憶される。ここでは、プリント配線板１２の被検出部は、その搬送方向において下流側の端縁であるとし、プリント配線板１２が停止位置に停止させられた状態において、その下流側の端縁が位置する位置に配線板検出装置３０８が位置し、光電センサ３１０，３１２が下流側端縁を検出するようにＸ軸，Ｙ軸スライド２３６，２５２の移動位置が設定され、記憶される。搬送方向が一方向に決まっていれば、搬送方向を規定するデータを共に記憶することは不要である。
配線板コンベヤ１４によるプリント配線板１２の搬入時には、光電センサ３１０，３１２はＸＹロボット２６６により、プリント配線板１２の種類等に応じて設定された検出位置へ移動させられ、プリント配線板１２の下流側端縁を検出し、減速させ、停止させる。それにより、プリント配線板１２は、自身に電子回路部品１６を供給する部品フィーダ群３９０に、搬送方向と直交する方向において隣接する位置であって、プリント配線板１２と部品フィーダ群３９０との各搬送方向における中央の位置が一致する位置に停止させられる。
このように１つの部品供給装置２０により複数種類のプリント配線板１２に電子回路部品１６を供給させるようにすれば、プリント配線板１２の種類が替わる毎に、プリント配線板１２の種類に合わせてフィーダ３０の交換を行うことなく、プリント配線板１２の停止位置を変更するのみで、プリント配線板１２の種類を変更しつつ装着作業を能率良く行うことができる。また、プリント配線板１２が、自身に装着される電子回路部品１６を供給する部品フィーダ群３９０に、搬送方向と直交する方向において隣接し、搬送方向における中央の位置が一致する位置に停止させられるため、部品装着ヘッド３０の移動距離が短くて済み、装着が能率よく行われる。
以上の説明から明らかなように、本実施形態においては、配線板検出位置データメモリおよび配線板停止位置データメモリが記憶部を構成し、制御装置３５０が基板停止制御装置を構成している。
配線板停止位置データメモリは省略してもよい。プリント配線板１２の種類毎に設定された停止位置に基づいて、光電センサ３１０，３１２をプリント配線板１２の被検出部を検出する位置へ移動させるためのＸ軸，Ｙ軸スライド２３６，２５２の移動位置を設定し、プリント配線板１２の種類と対応付けて記憶すれば、プリント配線板１２の種類と停止位置とを対応付けて記憶するのに等しいからである。
上記実施形態においては、部品撮像システム３３０がＸ軸スライド２３６に設けられていたが、位置を固定して設けてもよい。その実施形態を図１５に基づいて説明する。なお、上記実施形態におけると同様の作用を為す構成要素には、同一の符号を付して対応関係を示し、説明を省略する。
本実施形態の電子回路部品装着システム４００においては、部品撮像システム４０２は、部品供給装置２０と配線板コンベヤ１４との間の位置であって、部品装着ヘッド２３０の移動範囲の、配線板コンベヤ１４によるプリント配線板１２の搬送方向における中央の位置に、位置を固定して設けられている。部品撮像システム４０２は、複数のフィーダ３０の各部品供給部が並ぶ方向の中央の位置に対応する位置に設けられているのである。部品撮像システム４０２は、撮像装置としての部品カメラ４０４および照明装置４０６を備え、部品装着ヘッド２３０の移動平面の下方に位置し、被写体の正面像および投影像を撮像するように構成されている。
したがって、プリント配線板１２が、搬送方向における中央の位置に停止させられれば、プリント配線板１２全体が部品撮像システム４０２の近くに位置させられることとなり、部品装着ヘッド２３０の移動距離の総和が短く、装着が能率良く行われる確率が高い。部品装着ヘッド２３０はフィーダ３０から電子回路部品１６を受け取った後、プリント配線板１２への装着に先立って、必ず、部品撮像システム４０２へ移動させられ、部品カメラ４０４によって電子回路部品１６が撮像されるのであるが、部品撮像システム４０２とプリント配線板１２とが、搬送方向と直角な水平方向において隣接させられるため、撮像後、プリント配線板１２へ移動する際の部品装着ヘッド２３０の移動距離の総和が短くて済む確率が高い。
例えば、プリント配線板１２の停止位置が、プリント配線板１２の種類に関係なく、その下流側の端部が一定の位置に位置する位置とされる場合、プリント配線板１２の停止位置を大きいプリント配線板１２に合わせて設定すれば、図１５に二点鎖線で示すように、プリント配線板１２が小さく、部品装着ヘッド２３０の移動範囲の片隅側に停止させられることとなる場合には、プリント配線板１２を搬送方向における中央の位置に停止させる場合より、すなわち搬送方向と直交する方向において部品撮像システム４０２と隣接する位置に停止させる場合より、プリント配線板１２と部品撮像システム４０２との間の距離が長く、部品装着ヘッド２３０の移動に時間がかかる。それに対し、本実施形態の電子回路部品装着システム４００においては、プリント配線板１２全体が、その種類に関係なく、部品撮像システム４０２に近接した位置に停止させられるため、プリント配線板１２が小さくても、部品装着ヘッド２３０の移動の無駄が少なく、部品装着ヘッド２３０の移動距離の総和が短くて済み、装着を能率良く行うことができる確率が高いのである。
上記各実施形態においては、プリント配線板の被検出部を光電センサによって検出し、停止させるようにされていたが、撮像装置によって撮像することにより検出し、停止させるようにしてもよい。その実施形態を図１６ないし図１８に基づいて説明する。
本実施形態の電子回路部品装着システム４２０は、プリント配線板１２の停止制御を除いて前記電子回路部品装着システム１１と同様に構成されており、説明は省略する。
本実施形態においては、基準マーク撮像システム２９２の基準マークカメラ２９４がプリント配線板１２の搬送方向において下流側の端縁を撮像し、検出することにより搬送速度が減速され、基準マーク２９０が基準マークカメラ２９４によって撮像され、検出されることにより停止させられる。プリント配線板１２の被検出部を撮像する撮像装置が、プリント配線板１２の表面１８０に設けられた基準マーク２９０を撮像することによって、プリント配線板１２の停止位置を検出する基準マーク撮像装置を兼ねているのである。
本実施形態においても、プリント配線板１２は搬送方向における中央の位置に停止させられ、その寸法，形状および搬送方向に応じて、基準マークカメラ２９４に、プリント配線板１２の下流側端縁を検出させ、基準マーク２９０を検出させるために、Ｘ軸，Ｙ軸スライド２３６，２５２を移動させるべき位置が設定され、プリント配線板１２の種類および搬送方向と対応付けて配線板検出位置データメモリに記憶される。
Ｘ軸，Ｙ軸スライド２３６，２５２の位置は、基準マークカメラ２９４にプリント配線板１２の下流側端縁を撮像させる位置と、基準マーク２９０を撮像させる位置との２つが設定される。前者はプリント配線板１２を減速させるための基準マークカメラ２９４の減速用検出位置であり、後者はプリント配線板１２を停止させるための停止用検出位置であり、停止用検出位置は、プリント配線板１２が搬送方向における中央の位置に停止させられた状態において基準マーク２９０の中心が位置する位置に設定され、減速用検出位置は、停止用検出位置より搬送方向において上流側の位置に設定される。減速用検出位置と停止用検出位置との間の搬送方向における距離は、基準マークカメラ２９４がプリント配線板１２の下流側端縁を撮像し、検出して減速指令を発した後、プリント配線板１２より高速で、プリント配線板１２が停止位置へ到達するより先に停止用検出位置へ到達することができる距離とされている。
プリント配線板１２が配線板コンベヤ１４によって搬入されるとき、プリント配線板１２の種類および搬送方向に応じて設定されたＸ軸，Ｙ軸スライド２３６，２５２の２つの移動位置が読み出され、基準マークカメラ２９４がまず、減速用検出位置へ移動させられる。エンコーダ３６８，３７０の検出信号に基づいてＸ軸，Ｙ軸スライド移動用モータ２４０，２５６が制御され、基準マークカメラ２９４が、撮像領域ないし撮像画面の中心である撮像中心が減速用検出位置に位置する位置へ移動させられるのである。そして、照明装置２９６により照明が為されるとともに、基準マークカメラ２９４が設定時間毎に撮像を行う。
本実施形態において照明装置２９６は、明るさが複数段階、例えば２段階に調節されるように構成されており、基準マークカメラ２９４が減速用検出位置において撮像を行う場合には、暗い方の明るさで照明する。プリント配線板１２が、その下流側端縁が基準マークカメラ２９４によって撮像される減速位置に到達する時期が明確でなく、撮像されるまで照明し続けるからである。そして、基準マークカメラ２９４が撮像を行う毎に撮像データが画像処理コンピュータ３６６により画像処理され、プリント配線板１２の搬送方向において下流側端縁が検出されたか否かの判定がコンピュータ３５２において行われる。プリント配線板１２の下流側端縁が撮像領域内に進入し、基準マークカメラ２９４によって撮像され、図１７に斜線を施して示すように、プリント配線板１２の下流側端縁の像が撮像領域に形成され、検出されれば、減速指令が出力され、プリント配線板１２の搬送速度が減速させられる。
そして、基準マークカメラ２９４は、図１６に二点鎖線で示すように、停止用検出位置へ移動させられ、照明装置２９６が明るい方の明るさで照明を行い、基準マークカメラ２９４は設定時間毎に撮像を行う。基準マークカメラ２９４はＸＹロボット２６６により、プリント配線板１２より高速で移動させられ、プリント配線板１２が停止位置へ到達するより先に停止位置用検出位置へ移動させられる。基準マークカメラ２９４が、その撮像中心が停止位置用検出位置に位置する位置へ移動させられるのである。
そして、基準マークカメラ２９４が設定時間毎に繰り返し撮像を行い、撮像データが画像処理され、プリント配線板１２が停止位置に到達したか否かの判定が行われる。基準マーク２９０が撮像領域内に進入すれば、撮像を行う毎に、例えば、図１８に一点鎖線および二点鎖線で示すように、基準マーク２９０の像が取得される。そして、基準マーク２９０の像が撮像領域の予め設定された位置、ここではその中心が撮像中心から設定距離の範囲内に形成されれば、プリント配線板１２が停止位置に到達したとされ、停止指令が出力される。基準マーク２９０の像の中心と、撮像中心とがちょうど一致しなくても、プリント配線板１２が停止位置に到達したと見なしてもよい位置に基準マーク２９０の像が形成されれば、プリント配線板１２が停止位置に到達したとされ、停止させられるのである。プリント配線板１２の停止後、基準マークカメラ２９４は停止用検出位置に位置したままの状態で再度、撮像を行い、基準マーク２９０を撮像し、その撮像データに基づいてプリント配線板１２の正確な停止位置が検出され、被装着位置の水平位置誤差の算出に用いられる。
本実施形態においては、プリント配線板１２の停止制御に、基準マーク撮像システム２９２が利用されるため、安価に制御を行うことができる。また、基準マークカメラ２９４は、プリント配線板１２を停止させた位置で、プリント配線板１２の停止位置を検出するために基準マーク２９０を撮像することができ、プリント配線板１２の位置を迅速に検出することができる。
上記各実施形態において回路基板は非接触の基板検出器により検出されて停止させられるようにされていたが、ストッパを当接させて停止させるようにしてもよい。その実施形態を図１９に基づいて説明する。なお、上記実施形態の構成要素と同様の作用を為す構成要素には、同一の符号を付して対応関係を示し、説明を省略する。
本実施形態の電子回路部品装着システム５００においては、図１９に示すように、ＸＹロボット２６６のＹ軸スライド２５２により、部品装着ヘッド２３０および基準マーク撮像システム２９２と共に、ストッパ５０２およびストッパ移動装置としてのストッパ昇降装置５０４が保持されており、ＸＹロボット２６６によりＸＹ座標面内の任意の位置へ移動させられる。ストッパ昇降装置５０４は、本実施形態においては、駆動源の一種である流体圧アクチュエータとしてのエアシリンダ５０６を備え、ピストンロッド５０８の下端部にストッパ５０２が設けられており、ピストンロッド５０８の伸縮により、ストッパ５０２は、プリント配線板１２の搬送経路内に位置する作用位置と、搬送経路から退避した退避位置とに移動させられる。
Ｙ軸スライド２５２により更に、プリント配線板１２がストッパ５０２に当接する位置に到達したことを検出する到達検知器としての光電センサ５１０が保持されている。光電センサ５１０は非接触型検知器の一種であり、本実施形態においては反射型光電センサにより構成され、発光素子５１２および受光素子５１４を備え、水平面内において搬送方向と直角な方向においてストッパ５０２に隣接し、搬送方向においては、プリント配線板１２がちょうどストッパ５０２に当接した状態（予め設定された停止位置に停止させられた状態）において、プリント配線板１２の搬送方向において下流側の端縁を検出し得る位置に設けられている。発光素子５１２，受光素子５１４は、本実施形態では、水平面内において搬送方向と直角な方向に並んで設けられている。本電子回路部品装着システム５００は、前記電子回路部品装着システム１１と同様に、コンピュータを主体とする制御装置により制御され、光電センサ５１０の信号はコンピュータに入力される。また、エアシリンダ５０６は制御装置により制御される。
本実施形態においても、プリント配線板１２を搬送方向における中央の位置に停止させるとすれば、ストッパ５０２をプリント配線板１２に当接させ、プリント配線板１２を停止させるためのＸ軸，Ｙ軸スライド２３６，２５２の移動位置が、プリント配線板１２の寸法，形状に応じて設定され、プリント配線板１２の種類と対応付けて配線板検出位置データメモリに記憶されている。本実施形態においては、プリント配線板１２の搬送方向は一方向であることとする。
プリント配線板１２が配線板コンベヤ１４によって搬入されるとき、ストッパ５０２はＸＹロボット２６６により、予め設定された位置であって、プリント配線板１２に当接して停止させる当接位置へ移動させられるとともに、ストッパ昇降装置５０４により作用位置へ下降させられる。また、光電センサ５１０においては発光素子５１２が光を放射している。そのため、プリント配線板１２が搬入され、停止位置に至れば、ストッパ５０２に当接し、停止させられる。この際、発光素子５１２が放射する光がプリント配線板１２により反射されて受光素子５１４により受光されて、プリント配線板１２が光電センサ５１０により検出され、その検出に基づいてプリント配線板１２の停止指令が発せられ、配線板コンベヤ１４の配線板搬送用モータ１４２が停止させられる。本実施形態においては、制御装置が搬送装置制御装置を構成している。
本発明は、対基板作業システムとしての高粘性流体塗布システムの一種である接着剤塗布システムにも適用することができる。その実施形態を図２０および図２１に基づいて説明する。なお、本実施形態の接着剤塗布システム５５０は、プリント配線板の停止制御に関する部分を除いて、未だ公開されていないが、本出願人による特願２００１−１９８３の出願に記載の接着剤塗布システムと同様に構成されており、簡単に説明する。
接着剤塗布システム５５０のベッド５５２上には、高粘性流体塗布装置たる接着剤塗布装置５５４，高粘性流体塗布対象材であり、回路基板の一種であるプリント配線板５５６を搬送する配線板コンベヤ５５８が設けられている。配線板コンベヤ５５８は、前記実施形態の配線コンベヤ１４と同様に構成され、固定ガイド５６０および可動ガイド５６２を備えるとともにベルトコンベヤとされ、図示を省略する配線板搬送用モータの駆動により１対のエンドレスのコンベヤベルトが同期して周回させられ、プリント配線板５５６が、接着剤塗布システム５５０について設定された水平なＸＹ座標内においてＸ軸方向に搬送される。配線板コンベヤ５５８は、プリント配線板５５６を搬送方向の任意の位置に停止させ得るとともに、正逆両方向に搬送することができる。また、各１対のコンベヤベルト（図示省略）およびガイド５６０，５６２の間隔が間隔変更装置により変更される。さらに図示は省略するが、配線板コンベヤ５５８の途中には、プリント配線板５５６を裏面側から支持する配線板支持装置およびプリント配線板５５６をクランプする配線板クランプ装置を含む配線保持装置が設けられている。
接着剤塗布装置５５４は、移動装置としてのＸＹロボット５６８を備え、塗布ユニット５７０を、上記ＸＹ座標面内において互いに直交するＸ軸方向およびＹ軸方向の成分を有する方向に移動させ、プリント配線板５５６の表面である塗布面５６８に平行な一平面内の任意の位置へ移動させて塗布面５６８の複数の塗布位置にそれぞれスポット状に接着剤を塗布するものとされている。
ＸＹロボット５６８は、図２０および図２１に示すように、前記ＸＹロボット２６６と同様に、Ｘ軸スライド５７２と、Ｘ軸スライド移動用モータ５７４，ボールねじ５７６およびナット５７８を含むＸ軸スライド移動装置５８０と、Ｘ軸スライド５７２上に設けられたＹ軸スライド５８４と、Ｙ軸スライド移動用モータ５８６，ボールねじ５８８およびナット（図示省略）を含むＹ軸スライド移動装置５９２とを含み、Ｘ軸スライド５７２が第一可動部材を構成し、Ｙ軸スライド５８４が第二可動部材を構成している。これらＸ軸スライド５７２，Ｘ軸スライド移動装置５８０，Ｙ軸スライド５８４，Ｙ軸スライド移動装置５９２がＸＹロボット５６８を構成している。Ｘ軸スライド５７２の移動は、案内部材たる１対のガイドレール５９６および被案内部材たる１対のガイドブロック５９８を含む案内装置により案内され、Ｙ軸スライド５８４の移動は、案内部材たる１対のガイドレール６００および被案内部材たる１対のガイドブロック６０２を含む案内装置により案内される。これらボールねじ５７６，５８８，ナット５７８は運動伝達装置を構成し、駆動源を構成するＸ軸スライド移動用モータ５７４，Ｙ軸スライド移動用モータ５８６は、本実施形態ではサーボモータにより構成されている。
塗布ユニット５７０は、Ｙ軸スライド５８４により昇降可能に保持されており、Ｚ軸スライド６１０およびＺ軸スライド移動装置としてのＺ軸スライド昇降装置６１２を含む塗布ユニット昇降装置６１４により昇降させられ、プリント配線板５５６に接近，離間させられる。塗布ユニット５７０は、詳細な図示および説明は省略するが、吐出ノズル６２０，ノズル回転装置，スクリュポンプ，スクリュ回転装置および高粘性流体供給装置たる接着剤供給装置等を備え、本実施形態では、塗布ユニット５７０が作業ヘッドを構成している。塗布ユニット５７０は、スクリュの回転により、吐出ノズル６２０から所定量の接着剤が吐出され、プリント配線板５５６の塗布位置に塗布される。塗布ユニットは、シリンジに収容された接着剤を圧縮空気の供給により吐出し、塗布するものとしてもよい。
Ｙ軸スライド５８４にはまた、プリント配線板５５６に設けられた基準マーク６２４を撮像する基準マーク撮像システム６２６が設けられている。基準マーク撮像システム６２６は、基準マークカメラ６２８および照明装置（図示省略）を含む。Ｙ軸スライド５８４により更に、配線板検出装置６４０が保持されている。配線板検出装置６４０は、前記配線板検出装置３０８と同様に、第一，第二光電センサ６４２，６４４を備えている。各光電センサ６４２，６４４はそれぞれ、発光素子６４６および受光素子６４８を備え、プリント配線板５５６の搬送方向と平行な方向に距離を隔てて一列に並んで設けられている。発光素子６４６および受光素子６４８も搬送方向と平行な方向に距離を隔てて一列に並んで設けられている。
本接着剤塗布システム５５０は、コンピュータを主体とする制御装置６５０（図２０参照）により制御される。
本実施形態において配線板検出装置６４０は、前記配線板検出装置３０８と同様にプリント配線板５５６を検出する。例えば、プリント配線板５５６の搬送方向において下流側の端縁が被検出部とされ、第一，第二光電センサ６４２，６４４のうち、搬送方向において上流側の光電センサが被検出部としての下流側端縁を検出することにより搬送速度が減速され、下流側の光電センサが下流側端縁を検出することによりプリント配線板５５６が停止させられる。
本接着剤塗布システム５５０においては、例えば、プリント配線板５５６の種類および搬送方向に応じてプリント配線板５５６の停止位置が設定され、プリント配線板５５６の種類および搬送方向と対応付けてコンピュータのＲＡＭに設けられた配線板停止位置データメモリ（図示省略）に記憶されている。プリント配線板５５６の停止位置は、例えば、プリント配線板５５６の搬送方向に平行な方向における中央の位置について設定され、例えば、プリント配線板５５６の種類に応じて異ならされ、停止時におけるプリント配線板５５６の搬送方向に平行な方向における中央の位置が、プリント配線板５５６の種類によって異ならされている。
配線板検出装置６４０がプリント配線板５５６の被検出部を検出する検出位置は、プリント配線板５５６の停止位置に応じて設定される。本実施形態においては、プリント配線板５５６が設定された停止位置に停止させられた状態において、その下流側端縁が位置する位置が検出位置であり、その位置に配線板検出装置６４０が位置し、光電センサ６４２，６４４がプリント配線板５５６の下流側端縁を検出するように、Ｘ軸，Ｙ軸スライド５７２，５８４の位置が設定され、プリント配線板５５６の種類および搬送方向と対応付けて配線板検出位置データメモリ（図示省略）に記憶されている。
プリント配線板５５６の搬入時には、プリント配線板５５６が停止位置に到達する前に配線板検出装置６４０がＸＹロボット５６８により設定された検出位置へ移動させられる。そして、第一，第二光電センサ６４２，６４４がプリント配線板５５６の下流側端縁を検出し、プリント配線板５５６を減速させ、停止させる。このようにプリント配線板５５６の停止位置を種類毎に異ならせることにより、例えば、ボールねじ５７６，５８８を軸方向において満遍なく使用するようにし、ＸＹロボット５６８の寿命を向上させることができる。なお、配線板支持装置および配線板クランプ装置は、プリント配線板５５６が搬送方向においていずれの位置に停止させられても、プリント配線板５５６を支持し、クランプし得るように設けられている。プリント配線板５５６の停止位置は、配線板支持装置および配線板クランプ装置により支持され、クランプされることが可能な範囲内において設定されると言うこともできる。
以上説明した実施形態においては、配線板コンベヤによるプリント配線板の搬送方向に平行なＸ軸方向に移動するＸ軸スライドに、Ｙ軸スライドがＹ軸方向に移動可能に保持されていたが、図２２に示すように逆にすることも可能である。すなわち、配線板コンベヤ６５２の搬送方向と水平面内で直交するＹ軸方向に移動するＹ軸スライド６５４を設け、そのＹ軸スライド６５４にＸ軸スライド６５６をＸ軸方向に移動可能に保持させるのである。配線板コンベヤ６５２はベース６５８上にＸ軸方向を搬送方向として設けられ、プリント配線板６６０を搬送し、配線板支持装置６６２に支持させる。
Ｙ軸スライド６５４は、ベース６５８の上方に設けられたガイドレール６６４（位置のみを二点鎖線で示す）に案内され、図示しないＹ軸移動装置によりＹ軸方向に移動させられる。そのＹ軸スライド６５４に設けられたガイドレール６６６に、Ｘ軸スライド６５６が移動可能に保持されており、図示しないＸ軸移動装置によりＸ軸方向に移動させられる。Ｘ軸スライド６５６には、図示は省略するが、前記各実施形態におけると同様な作業ヘッドが設けられる。例えば、図６および図７に示した部品装着ヘッド２３０と同様の部品装着ヘッドが設けられ、ベッド６５８上に部品供給装置２０が設けられれば、対基板作業システムの一種としての電子回路部品装着システムとなる。
Ｘ軸スライド６５６には、さらに前記実施形態におけると同様に、第一光電センサ３１０および第二光電センサ３１２を含む配線板検出装置３０８と同様の配線板検出装置（図示省略）が設けられており、プリント配線板６６０の停止位置が制御される。
以上の他にも、本発明は、さらに種々の態様で実施することができる。例えば、回路基板にストッパを当接させて停止させる場合、ストッパ移動装置は、ストッパを回動により作用位置と退避位置とに移動させるストッパ回動装置としてもよい。この場合、ストッパを、例えば、Ｙ軸スライドに搬送方向と直角な水平軸線まわりに回動可能に保持させ、ストッパ回動装置により回動させ、作用位置と退避位置とに移動させる。搬送方向と平行な水平軸線まわりに回動させてもよい。
また、基板検出器およびストッパは、Ｘ軸方向にのみ移動可能な可動部材、例えば、前記図１ないし図１１に示した実施形態におけるＸ軸スライドに保持させてもよい。この場合、基板検出器およびストッパは、回路基板の搬送方向に平行な方向においてのみ移動させられるが、回路基板を搬送方向において任意の位置に停止させることができる。
さらに、基準マークカメラによってプリント配線板の被検出部を検出してプリント配線板の搬送速度を減速させ、停止させる場合、減速時にも基準マークを撮像するようにしてもよく、停止時にもプリント配線板の搬送方向において下流側の端を撮像し、検出するようにしてもよい。
また、基準マークカメラによってプリント配線板の被検出部を検出してプリント配線板の搬送速度を減速させ、停止させる場合、照明装置による照明の明るさは、減速のための被検出部の撮像時と停止のための被検出部の撮像時とにおいて同じにしてもよく、いずれも明るくしてもよく、いずれも暗めにしてもよい。あるいは周辺の状況により照明装置によりプリント配線板を照明しなくても撮像装置による撮像が可能であれば、照明装置は省略してもよい。
さらに、ストッパにより回路基板を停止させる場合でも、回路基板を正逆両方向に搬送するようにしてもよい。この場合、ストッパを２組設け、回路基板の搬送方向に応じてそれぞれ専用のストッパによって回路基板を停止させるようにしてもよく、１つのストッパによっていずれの搬送方向においても回路基板を停止させるようにしてもよい。また、到達検知器は、２組設け、回路基板が正逆いずれの方向に搬送される場合でも回路基板の到達を検知するようにする。
また、ストッパを昇降させるエアシリンダのピストンロッドの先端部をストッパとして用いるようにしてもよい。
さらに、基板コンベヤの１対の基板ガイドは両方共に可動ガイドとしてもよい。
また、回路基板の被検出部は、搬送方向において下流側の端縁に限らず、回路基板の別の部分を被検出部としてもよい。
回路基板は、搬送方向における中央の位置に限らず、別の位置において停止させてもよい。
以上、本発明のいくつかの実施形態を詳細に説明したが、これらは例示に過ぎず、本発明は、前記〔発明の開示〕の項に記載された態様を始めとして、当業者の知識に基づいて種々の変更、改良を施した形態で実施することができる。
【図面の簡単な説明】
図１は本発明の実施形態である電子回路部品装着システムを示す平面図である。
図２は上記電子回路部品装着システムを示す側面図である。
図３は上記電子回路部品装着システムの配線板コンベヤを示す平面図である。
図４は上記配線板コンベヤを示す側面図である。
図５は上記配線板コンベヤの固定ガイドを示す正面図である。
図６は前記電子回路部品装着システムを示す正面図（一部断面）である。
図７は上記電子回路部品装着システムの部品装着装置を示す側面図である。
図８は上記電子回路部品装着システムの配線板検出装置を示す正面図である。
図９は上記電子回路部品装着システムを制御する制御装置のうち、本発明に関連の深い部分を示すブロック図である。
図１０は上記制御装置の主体を成すコンピュータのＲＡＭの構成を示すブロック図である。
図１１は前記配線板コンベヤによるプリント配線板の搬送の停止制御を説明する図である。
図１２は前記配線板コンベヤによる別のプリント配線板の搬送の停止制御を説明する図である。
図１３は前記配線板コンベヤによる別のプリント配線板の搬送の停止制御を説明する図である。
図１４は前記電子回路部品装着システムにおいて２種類のプリント配線板に電子回路部品を装着する場合における前記配線板コンベヤによるプリント配線板の搬送の停止制御を説明する図である。
図１５は本発明の別の実施形態である電子回路部品装着システムを示す平面図である。
図１６は本発明のさらに別の実施形態である電子回路部品装着システムを示す平面図である。
図１７は図１６に示す電子回路部品装着システムにおいて基準マークカメラによるプリント配線板の下流側端縁の撮像，検出を説明する図である。
図１８は図１６に示す電子回路部品装着システムにおいて基準マークカメラによるプリント配線板の基準マークの撮像，検出を説明する図である。
図１９は本発明のさらに別の実施形態である電子回路部品装着システムのストッパ等を示す側面図である。
図２０は本発明のさらに別の実施形態である接着剤塗布システムを示す平面図である。
図２１は上記接着剤塗布システムを示す正面図（一部断面）である。
図２２は本発明のさらに別の実施形態である電子回路部品装着システムを概略的に示す平面図である。
【図１】
2003088730.tif 000003
【図２】
2003088730.tif 000004
【図３】
2003088730.tif 000005
【図４】
2003088730.tif 000006
【図５】
2003088730.tif 000007
【図６】
2003088730.tif 000008
【図７】
2003088730.tif 000009
【図８】
2003088730.tif 000010
【図９】
2003088730.tif 000011
【図１０】
2003088730.tif 000012
【図１１】
2003088730.tif 000013
【図１２】
2003088730.tif 000014
【図１３】
2003088730.tif 000015
【図１４】
2003088730.tif 000016
【図１５】
2003088730.tif 000017
【図１６】
2003088730.tif 000018
【図１７】
2003088730.tif 000019
【図１８】
2003088730.tif 000020
【図１９】
2003088730.tif 000021
【図２０】
2003088730.tif 000022
【図２１】
2003088730.tif 000023
【図２２】
2003088730.tif 000024
【手続補正書】
【提出日】平成16年1月23日(2004.1.23)
【手続補正１】
【補正対象書類名】特許請求の範囲
【補正対象項目名】全文
【補正方法】変更
【補正の内容】
【特許請求の範囲】
【請求項１】
一直線に平行な搬送方向に回路基板を搬送するとともに、その回路基板を搬送方向の任意の位置に停止させ得る基板搬送装置と、
少なくともその基板搬送装置の搬送方向に平行な方向に移動可能な可動部材を備え、その可動部材を前記搬送方向の任意の位置へ移動させる移動装置と、
前記可動部材に保持され、前記停止させられた回路基板の予め定められた個所に対して作業を行う作業ヘッドと、
前記可動部材に前記搬送方向に平行な方向に距離を隔てて保持され、それぞれ回路基板の被検出部を非接触で検出する減速用検出器および停止用検出器と、
前記移動装置を制御して、前記減速用検出器および停止用検出器を所定の位置へ移動させ、その位置における減速用検出器による前記被検出部の検出に応じて前記基板搬送装置を減速させ、停止用検出器による前記被検出部の検出に応じて前記基板搬送装置を停止させる基板停止位置制御装置と
を含む対基板作業システム。
【請求項２】
（削除）
【請求項３】
（削除）
【請求項４】
（削除）
【請求項５】
（削除）
【請求項６】
（削除）
【請求項７】
（削除）
【請求項８】
前記基板停止位置制御装置が、前記減速用検出器および停止用検出器による前記被検出部の検出のために、前記可動部材を少なくとも前記搬送方向に平行な方向において移動させるべき位置に関連する位置関連情報を記憶する記憶部を備えた請求の範囲第１項に記載の対基板作業システム。
【請求項９】
前記記憶部が、前記回路基板の形状と寸法との少なくとも一方に応じて変わる情報を位置関連情報として記憶する部分を含む請求の範囲第８項に記載の対基板作業システム。
【請求項１０】
前記記憶部が、前記基板搬送装置による前記回路基板の搬送方向に応じて変わる情報を前記位置関連情報として記憶する部分を含む請求の範囲第８項または第９項に記載の対基板作業システム。
【請求項１１】
前記記憶部が、前記移動装置による前記作業ヘッドの移動範囲の、前記基板搬送装置の搬送方向における中央の位置に前記回路基板を停止させるための情報を前記位置関連情報として記憶する部分を含む請求の範囲第８項ないし第１０項のいずれかに記載の対基板作業システム。
【請求項１２】
前記記憶部が、前記基板搬送装置により搬送される複数種類の回路基板の種類と停止位置とを対応付けて記憶する部分を含む請求の範囲第８項ないし第１１項のいずれかに記載の対基板作業システム。
【請求項１３】
（削除）
【請求項１４】
（削除）
【請求項１５】
電子回路部品を供給する部品供給装置を含み、かつ、前記作業ヘッドが、その部品供給装置から供給される電子回路部品を前記停止させられた回路基板の予め定められた個所に装着する部品装着ヘッドを含む請求の範囲第１項，第８項ないし第１２項のいずれかに記載の対基板作業システム。
【請求項１６】
前記部品供給装置が、各々１種類ずつの電子回路部品を多数収容しており、予め定められた部品供給部へ順次１個ずつ位置決めする部品フィーダが複数個、前記部品供給部が前記搬送方向に平行な一線に沿って並ぶ状態で配設されたものである請求の範囲第１５項に記載の対基板作業システム。
【請求項１７】
前記基板搬送装置が、
少なくとも一対のプーリと、それら一対のプーリに巻き掛けられたベルトと、前記少なくとも一対のプーリの少なくとも一つを回転駆動する回転駆動装置とを含むベルトコンベヤである請求の範囲第１項，第８項ないし第１２項，第１５項．第１６項のいずれかに記載の対基板作業システム。
【請求項１８】
（削除）
【請求項１９】
（削除）
【請求項２０】
（削除）
【請求項２１】
（削除）
【請求項２２】
前記移動装置が、前記基板搬送装置により搬送され、停止させられた回路基板の表面に平行な一平面内において互いに交差する第一方向と第二方向との一方に移動可能な第一可動部材と、その第一可動部材に前記第一方向と第二方向との他方に移動可能に保持され、前記作業ヘッドを保持する前記可動部材として機能する第二可動部材とを備え、その第二可動部材を前記一平面内の任意の位置へ移動させるものであり、かつ、前記減速用検出器および停止用検出器が前記第一可動部材および前記第二可動部材のうち少なくとも前記搬送方向に平行な方向に移動可能な部材に保持された請求の範囲第１項，第８項ないし第１２項，第１５項ないし第１７項のいずれかに記載の対基板作業システム。
【請求項２３】
前記第一可動部材が前記基板搬送装置の搬送方向に平行な方向に移動可能であり、前記第二可動部材が前記搬送方向と直交する方向に移動可能である請求の範囲第２２項に記載の対基板作業システム。
【請求項２４】
前記第一可動部材が前記基板搬送装置の搬送方向と直交する方向に移動可能であり、前記第二可動部材が前記搬送方向に平行な方向に移動可能である請求の範囲第２２項に記載の対基板作業システム。
【請求項２５】
前記減速用検出器および停止用検出器が、それぞれ前記回路基板の搬送方向における下流側の端縁を前記被検出部として検出するものである請求の範囲第１項，第８項ないし第１２項，第１５項ないし第１７項，第２２項ないし第２４項のいずれかに第２項に記載の対基板作業システム。
【請求項２６】
前記減速用検出器および停止用検出器が、それぞれ発光素子と受光素子とを備えた光電センサである請求の範囲第１項，第８項ないし第１２項，第１５項ないし第１７項，第２２項ないし第２５項のいずれかに記載の対基板作業システム。
【請求項２７】
前記光電センサが、前記発光素子から放射され、前記回路基板の被検出部で反射された光を前記受光素子が検出することにより前記被検出部を検出する反射型検出器である請求の範囲第２６項に記載の対基板作業システム。
【国際調査報告】
2003088730.tif 000025
2003088730.tif 000026